(57)【特許請求の範囲】
【請求項１】
第１の画像の色に関するデータと第２の画像の色に関するデータを取得し、取得した前記第１の画像の色に関するデータの一部と取得した前記第２の画像の色に関するデータの一部を予め決定された濃度調整パラメーターを用いて調整し、インクシートに配置された複数の印画面を使用して調整が行われた前記第１の画像の一部と調整が行われた前記第２の画像の一部とが重畳するよう前記第１の画像と前記第２の画像とを印画するパノラマ画像印画処理を行う熱転写プリント装置において、
複数の一画面目キャリブレーションパターンの色の濃度に関するデータを含む一画面目キャリブレーション画像のデータと、複数の二画面目キャリブレーションパターンの色の濃度に関するデータを含む二画面目キャリブレーション画像のデータとを取得する分割画像データ取得部と、
複数の前記一画面目キャリブレーションパターン及び複数の前記二画面目キャリブレーションパターンとそれぞれ対応関係にある複数の前記濃度調整パラメーターを記憶するキャリブレーション用濃度調整パラメーター記憶部と、
複数の前記一画面目キャリブレーションパターンの色の濃度に関するデータのうち印画時に前記二画面目キャリブレーションパターンと重複する一画面目重畳部の色の濃度に関するデータと、複数の前記二画面目キャリブレーションパターンの色の濃度に関するデータのうち印画時に前記一画面目キャリブレーションパターンと重複する二画面目重畳部の色の濃度に関するデータと、を前記対応関係にある前記濃度調整パラメーターを用いてそれぞれ調整する濃度調整処理部と、
前記濃度調整処理部で調整された色の濃度に関するデータを基に、前記一画面目キャリブレーションパターンと前記二画面目キャリブレーションパターンにより構成され前記一画面目重畳部と前記二画面目重畳部が重畳した印画重畳部を含む印画キャリブレーションパターンを複数形成するよう第一画面目キャリブレーション画像と第二画面目キャリブレーション画像を記録用紙に印画する印画部と、
を備え、
前記記録用紙に印画された前記印画重畳部の色の濃度は、それぞれの前記印画キャリブレーションパターンで異なる熱転写プリント装置。
【請求項２】
印画した複数の前記印画キャリブレーションパターンより選択された前記印画キャリブレーションパターンに関するデータを含む受信するキャリブレーションパターン選択受信部を備え、
選択された前記印画キャリブレーションパターンを構成する前記一画面目キャリブレーションパターン及び前記二画面目キャリブレーションパターンと対応関係にある前記濃度調整パラメーターを前記パノラマ画像印画処理で用いる請求項１に記載の熱転写プリント装置。
【請求項３】
前記印画部は、前記印画キャリブレーションパターンの主走査方向の色の濃度が前記主走査方向の一方の端部から他方の端部に向かって段階的に高くなるよう印画する請求項１又は２に記載の熱転写プリント装置。
【請求項４】
前記分割画像データ取得部が取得する一画面目キャリブレーションパターンの色の濃度に関するデータと、二画面目キャリブレーションパターンの色の濃度に関するデータは、主走査方向の一方の端部から他方の端部に向かって段階的に濃度が高くなるよう設定されている請求項３に記載の熱転写プリント装置。
【請求項５】
前記一画面目キャリブレーションパターンの色の濃度に関するデータと、前記二画面目キャリブレーションパターンの色の濃度に関するデータは、それぞれの主走査方向及び副走査方向にライン番号が割り当てられた画素の階調値であり、
複数の前記濃度調整パラメーターは、それぞれ前記画素の副走査方向のライン番号に対応して予め定められた濃度調整係数であり、
前記濃度調整処理部は、前記濃度調整係数に基づき、前記濃度調整係数と対応する前記画素の階調値を調整する請求項１から請求項４にいずれかに一項に記載の熱転写プリント装置。
【請求項６】
前記印画部は、前記印画面の一部で前記一画面目キャリブレーション画像を印画し、前記一画面目キャリブレーション画像を印画した前記印画面の他の一部で前記二画面目キャリブレーション画像を印画する請求項１から請求項５のいずれか一項に記載の熱転写プリント装置。
【請求項７】
前記印画キャリブレーションパターンには前記一画面目キャリブレーションパターンと前記二画面目キャリブレーションパターンが重畳していない非重畳部を含む請求項１から請求項６のいずれか一項に記載の熱転写プリント装置。
【請求項８】
複数の一画面目キャリブレーションパターンの色の濃度に関するデータを含む一画面目キャリブレーション画像のデータと、複数の二画面目キャリブレーションパターンの色の濃度に関するデータを含む二画面目キャリブレーション画像のデータとを取得するステップと、
取得された複数の前記一画面目キャリブレーションパターンの色の濃度に関するデータのうち印画時に前記二画面目キャリブレーションパターンと重複する一画面目重畳部の色の濃度に関するデータと、取得された複数の前記二画面目キャリブレーションパターンの色の濃度に関するデータのうち印画時に前記一画面目キャリブレーションパターンと重複する二画面目重畳部の色の濃度に関するデータとを、複数の前記一画面目キャリブレーションパターン及び複数の前記二画面目キャリブレーションパターンとそれぞれ対応関係にある濃度調整パラメーターを用いてそれぞれ調整するステップと、
調整された色の濃度に関するデータを基に、前記一画面目キャリブレーションパターンと前記二画面目キャリブレーションパターンにより構成され前記一画面目重畳部と前記二画面目重畳部が重畳した印画重畳部を含む印画キャリブレーションパターンを複数形成し、前記印画重畳部の色の濃度はそれぞれの前記印画キャリブレーションパターンで異なるよう第一画面目キャリブレーション画像と第二画面目キャリブレーション画像を記録用紙に印画するステップと、
前記記録用紙に印画した複数の前記印画キャリブレーションパターンより選択された前記印画キャリブレーションパターンに関するデータを含む受信するステップと、
選択された前記印画キャリブレーションパターンを構成する前記一画面目キャリブレーションパターン及び前記二画面目キャリブレーションパターンと対応関係にある前記濃度調整パラメーターを濃度調整パラメーター記憶部に記憶するステップと、
を備えた熱転写プリント装置のキャリブレーション方法。
【請求項９】
第１の画像の色に関するデータと第２の画像の色に関するデータを取得するステップと、
取得した前記第１の画像の色に関するデータの一部と取得した前記第２の画像の色に関するデータの一部を請求項８に記載の熱転写プリント装置のキャリブレーション方法で濃度調整パラメーター記憶部に記憶された前記濃度調整パラメーターを用いて調整するステップと、
インクシートに配置された複数の印画面を使用して調整が行われた前記第１の画像の一部と調整が行われた前記第２の画像の一部とが重畳するよう前記第１の画像と前記第２の画像とを印画するステップと、
を備える熱転写プリント装置の印画方法。
【発明の詳細な説明】
【技術分野】
【０００１】
本発明は、熱転写プリント装置、熱転写プリント装置のキャリブレーション方法および熱転写プリント装置の印画方法に関する。
【背景技術】
【０００２】
特許文献１及び特許文献２に示すように、熱転写プリンタは、イエロー、マゼンタ、シアンの各色の染料が塗布されたインクシートにサーマルヘッドから熱を加え、記録用紙に各色の染料を転写することで印画を行っている。なお、以降の説明では、イエローを「Ｙ色」、マゼンタを「Ｍ色」、シアンを「Ｃ色」と称する。【０００３】
近年、デジタルカメラ、携帯電話に付属のカメラ、並びにスマートフォンに付属のカメラには幅広のパノラマ撮影モードが機能として搭載されている。従って、パノラマ撮影モードで撮影した幅広のパノラマ写真を印画する需要が高まっている。【０００４】
特許文献１には、幅広のパノラマ写真を１つ目の画像と２つ目の画像に分割し、印画される１つ目の画像と印画される２つ目の画像とが互いに重なり合う重畳部（特許文献１における重なりＢが該当）が存在するように配置する熱転写プリント方法が開示されている。また、特許文献１には、用紙の搬送方向に向かって、１つ目の画像の重畳部では濃度を段階的に低くし、２つ目の画像の重畳部では濃度を段階的に高くするよう濃度処理を施す熱転写プリント方法が開示されている。【０００５】
特許文献２には、重畳部におけるＹ色、Ｍ色、Ｃ色のつなぎ目が副走査転写方向で一致しないようにずらすつなぎ目ずらし処理を行う熱転写プリント方法が開示されている。また、特許文献２には、重畳部の階調データを副走査転写方向のライン毎に予め設定された補正係数に基づき転写する色の階調データを補正するつなぎ目濃度逓減／逓増処理と、先に転写する色の階調データ毎に予め設定された補正係数に基づき後から転写する色の階調データを補正するつなぎ目逆転写補正処理並びにつなぎ目過剰転写補正処理を行うプリント方法を行う熱転写プリント方法が開示されている。
【先行技術文献】
【特許文献】
【０００６】
【特許文献１】特開２００４−８２６１０号公報
【特許文献２】国際公開第２０１１／１２５１３４号
【発明の概要】
【発明が解決しようとする課題】
【０００７】
ところで、幅広のパノラマ写真を１つ目の画像と２つ目の画像に分割し、印画される１つ目の画像と印画される２つ目の画像とが互いに重なり合う重畳部を有するよう印画する場合、重畳部が目立たないように印画することが望ましい。特に実際の印画では、使用するインクシート並びに用紙の特性ばらつき又は印画を行う場所の環境の差などの外乱要素がある。それらの外乱要素が要因となって、重畳部にスジ又はむらが発生し、重畳部が目立ってしまうことがあった。【０００８】
しかしながら、特許文献１に開示されている濃度処理、特許文献２に開示されているつなぎ目濃度逓減／逓増処理、つなぎ目逆転写補正処理、並びにつなぎ目過剰転写補正処理では外乱要素は考慮されていない。【０００９】
本発明は上述の課題を解決するためになされたものであり、外乱要素があっても重畳部が目立ち難い熱転写プリント装置、熱転写プリント装置のキャリブレーション方法及び熱転写プリント装置の印画方法を提供する。
【課題を解決するための手段】
【００１０】
第一の発明に係る熱転写プリント装置は、第一の画像の色に関するデータと第二の画像の色に関するデータを取得し、取得した第一の画像の色に関するデータの一部と取得した第二の画像の色に関するデータの一部を予め決定された濃度調整パラメーターを用いて調整し、インクシートに配置された複数の印画面を使用して調整が行われた第一の画像の一部と調整が行われた第二の画像の一部とが重畳するよう第一の画像と第二の画像とを印画するパノラマ画像印画処理を行う熱転写プリント装置であり、複数の一画面目キャリブレーションパターンの色の濃度に関するデータを含む一画面目キャリブレーション画像のデータと、複数の二画面目キャリブレーションパターンの色の濃度に関するデータを含む二画面目キャリブレーション画像のデータとを取得する分割画像データ取得部と、複数の一画面目キャリブレーションパターン及び複数の二画面目キャリブレーションパターンとそれぞれ対応関係にある複数の濃度調整パラメーターを記憶するキャリブレーション用濃度調整パラメーター記憶部と、複数の一画面目キャリブレーションパターンの色の濃度に関するデータのうち印画時に二画面目キャリブレーションパターンと重複する一画面目重畳部の色の濃度に関するデータと、複数の二画面目キャリブレーションパターンの色の濃度に関するデータのうち印画時に一画面目キャリブレーションパターンと重複する二画面目重畳部の色の濃度に関するデータと、を対応関係にある濃度調整パラメーターを用いてそれぞれ調整する濃度調整処理部と、濃度調整処理部で調整された色の濃度に関するデータを基に、一画面目キャリブレーションパターンと二画面目キャリブレーションパターンにより構成され一画面目重畳部と二画面目重畳部が重畳した印画重畳部を含む印画キャリブレーションパターンを複数形成するよう第一画面目キャリブレーション画像と第二画面目キャリブレーション画像を記録用紙に印画する印画部と、を備え、記録用紙に印画された印画重畳部の色の濃度は、それぞれの印画キャリブレーションパターンで異なる。
【００１１】
第二の発明に係る熱転写プリント装置のキャリブレーション方法は、取得された複数の二画面目キャリブレーションパターンの色の濃度に関するデータのうち印画時に一画面目キャリブレーションパターンと重複する二画面目重畳部の色の濃度に関するデータとを、複数の一画面目キャリブレーションパターン及び複数の二画面目キャリブレーションパターンとそれぞれ対応関係にある濃度調整パラメーターを用いてそれぞれ調整するステップと、調整された色の濃度に関するデータを基に、一画面目キャリブレーションパターンと二画面目キャリブレーションパターンにより構成され一画面目重畳部と二画面目重畳部が重畳した印画重畳部を含む印画キャリブレーションパターンを複数形成し、印画重畳部の色の濃度はそれぞれの印画キャリブレーションパターンで異なるよう第一画面目キャリブレーション画像と第二画面目キャリブレーション画像を記録用紙に印画するステップと、記録用紙に印画した複数の印画キャリブレーションパターンより選択された印画キャリブレーションパターンに関するデータを含む受信するステップと、選択された印画キャリブレーションパターンを構成する一画面目キャリブレーションパターン及び二画面目キャリブレーションパターンと対応関係にある濃度調整パラメーターを濃度調整パラメーター記憶部に記憶するステップと、を備える。【００１２】
第三の発明に係る熱転写プリント装置の印画方法は、第一の画像の色に関するデータと第二の画像の色に関するデータを取得するステップと、取得した第一の画像の色に関するデータの一部と取得した第二の画像の色に関するデータの一部を第二の発明に係る熱転写プリント装置のキャリブレーション方法で濃度調整パラメーター記憶部に記憶された濃度調整パラメーターを用いて調整するステップと、インクシートに配置された複数の印画面を使用して調整が行われた第一の画像の一部と調整が行われた第二の画像の一部とが重畳するよう第一の画像と第二の画像とを印画するステップと、を備える。
【発明の効果】
【００１３】
第一の発明に係る熱転写プリント装置と、第二の発明に係る熱転写プリント装置のキャリブレーション方法と、第三の発明に係る熱転写プリント装置の印画方法は、記録用紙に印画された印画重畳部の色の濃度は、それぞれの印画キャリブレーションパターンで異なるよう構成されている。この構成によって、外乱要素を含めて重畳部が目立ち難いキャリブレーションパターンを選ぶことができ、外乱要素があっても重畳部が目立ち難い熱転写プリント装置を提供できる効果を奏する。
【図面の簡単な説明】
【００１４】
【図１】実施の形態１に係る熱転写プリンタの概略図である。
【図２】実施の形態１に係る熱転写プリント装置のハードウェア構成図である。
【図３】実施の形態１に係る熱転写プリント装置の機能ブロック図である。
【図４】実施の形態１に係る熱転写プリンタに装着されるインクシートの概略図である。
【図５】実施の形態１に係る熱転写プリント装置のキャリブレーション処理のフローチャートである。
【図６】実施の形態１に係る熱転写プリント装置のキャリブレーション画像のデータの取得処理の詳細なフローチャートである。
【図７】実施の形態１に係る熱転写プリント装置のステップＳ１００の処理が終了した直後におけるキャリブレーション画像を示す図である。
【図８】実施の形態１に係る熱転写プリント装置のステップＳ１００の処理が終了した直後におけるキャリブレーション画像のデータのうち各々の画素のＹ色の階調値を示す表である。
【図９】実施の形態１に係る熱転写プリント装置のステップＳ１０１の処理直後における一画面目キャリブレーション画像を示す図である。
【図１０】実施の形態１に係る熱転写プリント装置のステップＳ１０１の処理が終了した直後における一画面目キャリブレーション画像のデータのうち各々の画素のＹ色の階調値を示す表である。
【図１１】実施の形態１に係る熱転写プリント装置のステップＳ１０１の処理直後における二画面目キャリブレーション画像を示す図である。
【図１２】実施の形態１に係る熱転写プリント装置のステップＳ１０１の処理が終了した直後における二画面目キャリブレーション画像のデータのうち各々の画素のＹ色の階調値を示す表である。
【図１３】実施の形態１に係る熱転写プリント装置のキャリブレーションパターンの濃度調整処理の詳細なフローチャートである。
【図１４】実施の形態１に係る熱転写プリント装置のキャリブレーションパターン対応記憶部に記憶されている濃度調整パラメーターとキャリブレーションパターンの対応関係を示す表である。
【図１５】実施の形態１に係る熱転写プリント装置のステップＳ１１１の処理が終了した直後における一画面目キャリブレーション画像を示す図である。
【図１６】実施の形態１に係る熱転写プリント装置のステップＳ１１１の処理が終了した直後における一画面目キャリブレーション画像の第一のＹ色キャリブレーションパターンの副走査方向Ｙにおける座標ＴＰＳｓからＴＰＳｅまでのＹ色の濃度を示すグラフである。
【図１７】実施の形態１に係る熱転写プリント装置のステップＳ１１１の処理が終了した直後における一画面目キャリブレーション画像の第二のＹ色キャリブレーションパターンの副走査方向Ｙにおける座標ＴＰＳｓからＴＰＳｅまでのＹ色の濃度を示すグラフである。
【図１８】実施の形態１に係る熱転写プリント装置のステップＳ１１１の処理が終了した直後における一画面目キャリブレーション画像の第三のＹ色キャリブレーションパターンの副走査方向Ｙにおける座標ＴＰＳｓからＴＰＳｅまでのＹ色の濃度を示すグラフである。
【図１９】実施の形態１に係る熱転写プリント装置の一画面目キャリブレーション画像に対する濃度調整パラメーターＹｐａｒａ１、Ｙｐａｒａ２、Ｙｐａｒａ３に関するデータを示す表である。
【図２０】実施の形態１に係る熱転写プリント装置のステップＳ１１１の処理が終了した直後における一画面目キャリブレーション画像のデータのうち各々の画素のＹ色の階調値を示す表である。
【図２１】実施の形態１に係る熱転写プリント装置のステップＳ１１１の処理が終了した直後における二画面目キャリブレーション画像を示す図である。
【図２２】実施の形態１に係る熱転写プリント装置のステップＳ１１１の処理が終了した直後における二画面目キャリブレーション画像の第一のＹ色キャリブレーションパターンの副走査方向Ｙにおける座標ＴＰＳｓからＴＰＳｅまでのＹ色の濃度を示すグラフである。
【図２３】実施の形態１に係る熱転写プリント装置のステップＳ１１１の処理が終了した直後における二画面目キャリブレーション画像の第二のＹ色キャリブレーションパターンの副走査方向Ｙにおける座標ＴＰＳｓからＴＰＳｅまでのＹ色の濃度を示すグラフである。
【図２４】実施の形態１に係る熱転写プリント装置のステップＳ１１１の処理が終了した直後における二画面目キャリブレーション画像の第三のＹ色キャリブレーションパターンの副走査方向Ｙにおける座標ＴＰＳｓからＴＰＳｅまでのＹ色の濃度を示すグラフである。
【図２５】実施の形態１に係る熱転写プリント装置の二画面目キャリブレーション画像に対する濃度調整パラメーターＹｐａｒａ１、Ｙｐａｒａ２、Ｙｐａｒａ３に関するデータを示す表である。
【図２６】実施の形態１に係る熱転写プリント装置のステップＳ１１１の処理が終了した直後における二画面目キャリブレーション画像のデータのうち各々の画素のＹ色の階調値を示す表である。
【図２７】実施の形態１に係る熱転写プリント装置の印画処理の詳細なフローチャートである。
【図２８】実施の形態１に係る熱転写プリント装置の印画キャリブレーション画像を示す図である。
【図２９】実施の形態１に係る熱転写プリント装置のパノラマ画像印画処理のフローチャートである。
【図３０】実施の形態１に係る熱転写プリント装置の入力画像を示す図である。
【図３１】実施の形態１に係る熱転写プリント装置の一画面目入力画像を示す図である。
【図３２】実施の形態１に係る熱転写プリント装置の二画面目入力画像を示す図である。
【図３３】実施の形態１に係る熱転写プリント装置のパノラマ印画画像を示す図である。
【図３４】実施の形態１の変形例１に係る熱転写プリント装置の印画キャリブレーション画像を示す図である。
【図３５】実施の形態２に係る熱転写プリント装置のステップＳ１００の処理が終了した直後のキャリブレーション画像を示す図である。
【図３６】実施の形態２に係る熱転写プリント装置のステップＳ１００の処理が終了した直後におけるキャリブレーション画像のデータのうち各々の画素のＹ色の階調値を示す表である。
【図３７】実施の形態３に係る熱転写プリンタに装着されるインクシートの概略図である。
【図３８】実施の形態３の変形例に係る熱転写プリンタに装着されるインクシートのＹ色印画面の概略図である。
【発明を実施するための形態】
【００１５】
以下、本発明の実施の形態について、図を用いて説明する。なお、各図中、同一又は荘当する部分には、同一符号を付している。実施の形態の説明において、同一又は相当する部分については、その説明を適宜省略又は簡略化する。各図においてＸ軸及びＹ軸がそれぞれ直交する直交座標系によって向き及び方向を定義している。図面のＹ軸が示す方向を副走査方向Ｙと称する。また、実施の形態の説明において構成要素のＹ軸の矢印の原点側の端部を後端部と称し、Ｙ軸の矢印の先端側の端部を先端部と称する。さらに図面のＸ軸が示す方向を主走査方向Ｘと称する。また、実施の形態の説明において構成要素のＸ軸の矢印の原点側の端部を上端部と称し、Ｘ軸の矢印の先端側の端部を下端部と称する。また、Ｘ軸とＹ軸を含む平面をＸＹ平面と称する。なお、直交座標系による向き、方向及び平面の定義は説明のために記しており、装置及び部品等の配置や向き等を限定するものではない。装置及び部品等の構成について、その材質、形状、大きさ等は、本発明の範囲内で適宜変更することができる。
【００１６】
実施の形態１．
図１は実施の形態１に係る熱転写プリンタの概略図である。次に実施の形態１に係る熱転写プリンタ１００の概略図について説明する。なお、図１において、Ｘ軸の矢印の先端は図１の紙面に対して奥側に伸びている。
【００１７】
熱転写プリンタ１００は、供給側ボビン１と、巻取り側ボビン２と、供給側モーター３と、巻取り側モーター４と、紙ロールボビン５と、紙ロールモーター６と、ピンチローラー７と、グリップローラー８と、搬送モーター９と、サーマルヘッド１０と、プラテンローラー１１と、カッター１２とを備えている。また、図１に示す熱転写プリンタ１００は、供給側ボビン１並びに巻取り側ボビン２にインクシート１３が装着され、紙ロールボビン５には記録用紙１４が装着されている。
【００１８】
供給側ボビン１にはインクシート１３の一方の端が取り付けられ、インクシート１３の未使用部分が巻き付けられる。巻取り側ボビン２にはインクシート１３の他方の端が取り付けられ、インクシート１３の使用済み部分が巻き付けられる。供給側ボビン１は供給側モーター３によって回転し、巻取り側ボビン２は巻取り側モーター４によって回転する。供給側モーター３と巻取り側モーター４は、供給側ボビン１並びに巻取り側ボビン２を回転させることによってインクシート１３を副走査方向Ｙに搬送することと、インクシート１３に所定の張力を生じさせることができる。
【００１９】
紙ロールボビン５には記録用紙１４の一方の端が取り付けられ、記録用紙１４の未使用部分が巻きつけられる。紙ロールボビン５は紙ロールモーター６によって回転される。紙ロールモーター６は、紙ロールボビン５を回転させることによって記録用紙１４を副走査方向Ｙに搬送することができる。
【００２０】
ピンチローラー７とグリップローラー８は互いに対向する位置に配置される。ピンチローラー７とグリップローラー８は紙ロールボビン５より巻き出された記録用紙１４を挟んでいる。グリップローラー８は搬送モーター９によって回転する。搬送モーター９はグリップローラー８を回転させることによって記録用紙１４を副走査方向Ｙに搬送を行うことができる。
【００２１】
サーマルヘッド１０は熱を発することできる。プラテンローラー１１はサーマルヘッド１０の一部と対向する位置に配置される。サーマルヘッド１０とプラテンローラー１１の間には、それぞれの表面がＸＹ平面と平行になるようにインクシート１３と記録用紙１４が配置されている。プラテンローラー１１とサーマルヘッド１０によってインクシート１３と記録用紙１４を挟むことが可能なように、サーマルヘッド１０はプラテンローラー１１へ押圧する方向へ移動可能に構成されている。サーマルヘッド１０とプラテンローラー１１がインクシート１３と記録用紙１４を挟んだ状態でサーマルヘッド１０が熱を発することによって、インクシート１３のインクが記録用紙１４に転写される。
【００２２】
カッター１２は記録用紙１４を切断する機能を有する。
【００２３】
図２は、実施の形態１に係る熱転写プリント装置のハードウェア構成図である。次に実施の形態１に係る熱転写プリント装置１０００のハードウェア構成について説明する。熱転写プリント装置１０００は熱転写プリンタ１００と外部情報処理装置２００を有する。
【００２４】
熱転写プリンタ１００は、プロセッサー１５と、メモリー１６と、ハードウェアインターフェース１７とを備えている。また、熱転写プリンタ１００は、外部情報処理装置２００と通信可能に接続されている。
【００２５】
プロセッサー１５は、搬送モーター９など熱転写プリンタ１００内部のハードウェアの制御又はデータ処理を実行する装置である。プロセッサー１５は、例えばＣＰＵ（Ｃｅｎｔｒａｌ  Ｐｒｏｃｅｓｓｉｎｇ  Ｕｎｉｔ）である。
【００２６】
メモリー１６はデータを記憶する装置である。メモリー１６は、例えばＲＡＭ（Ｒａｎｄａｍ Ａｃｃｅｓｓ  Ｍｅｍｏｒｙ）、ＲＯＭ（Ｒｅａｄ  Ｏｎｌｙ  Ｍｅｍｏｒｙ）、フラッシュメモリー、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＥＥＰＲＯＭ（Ｅｌｅｃｔｒｉｃａｌｌｙ  ｒａｓａｂｌｅ  Ｐｒｏｇｒａｍｍａｂｌｅ  Ｒｅａｄ  Ｏｎｌｙ  Ｍｅｍｏｒｙ）などの不揮発性又は揮発性の半導体メモリーである。
【００２７】
ハードウェアインターフェース１７は、例えばＵＳＢ（Ｕｎｉｖｅｒｓａｌ  Ｓｅｒｉａｌ  Ｂｕｓ）インターフェースなど、外部情報処理装置２００とデータの送受信を行う装置である。
【００２８】
外部情報処理装置２００は、熱転写プリンタ１００に画像のデータなどの各種情報の入出力を行う装置である。外部情報処理装置２００は、ユーザーによって操作される。また、外部情報処理装置２００は、例えばパーソナルコンピュータ、スマートフォン、タブレット端末などである。
【００２９】
実施の形態１における画像のデータは、副走査方向Ｙに所定のライン番号、主走査方向Ｘに所定のライン番号が割り当てられた画素の配列であって、各画素の配列の要素内にはＹ色の階調値、Ｍ色の階調値、Ｃ色の階調値がそれぞれ格納されているデータであるとする。また、各々の方向の座標に対応する配列のライン番号を示す場合には、接頭辞として＃を設ける。例えば、副走査方向Ｙにおける座標Ｙ１に対応する配列のライン番号は＃Ｙ１と表される。なお、階調値の範囲は０から２５５までとし、階調値が大きいほどの濃度が濃くなるとする。また、階調値が本発明における色の濃度に関するデータに相当する。
【００３０】
供給側モーター３と、巻取り側モーター４と、紙ロールモーター６と、搬送モーター９と、サーマルヘッド１０と、カッター１２と、プロセッサー１５と、メモリー１６と、ハードウェアインターフェース１７とは、それぞれ熱転写プリンタ１００の内部バスで通信可能に接続されている。
【００３１】
図３は、実施の形態１に係る熱転写プリント装置の機能ブロック図である。次に実施の形態１に係る熱転写プリント装置１０００の機能ブロック構成について説明する。
【００３２】
熱転写プリンタ１００は、制御部２０と、記憶部３０と、入出力部４０と、印画部５０とを備える。また、制御部２０と、記憶部３０と、入出力部４０と、印画部５０は各々データの送受信が可能である。
【００３３】
制御部２０は、分割画像データ取得部２１と、濃度調整処理部２２と、データ処理部２３と、キャリブレーション画像データ取得部２４と、判断部２５と、印画制御部２６と、を備える。分割画像データ取得部２１と、濃度調整処理部２２と、データ処理部２３と、キャリブレーション画像データ取得部２４と、判断部２５と、印画制御部２６は、プロセッサー１５により実行されるプログラムのモジュールである。つまり、分割画像データ取得部２１と、濃度調整処理部２２と、データ処理部２３と、キャリブレーション画像データ取得部２４と、判断部２５と、印画制御部２６は、プロセッサー１５がメモリー１６に記憶されたソフトウェアのプログラムに従って各種処理を実行することにより実現される。
【００３４】
分割画像データ取得部２１は１つの画像データを基に複数の画像データを取得する処理を行う。
【００３５】
濃度調整処理部２２は濃度調整パラメーターを用いて画像データの一部の濃度を調整する処理を行う。
【００３６】
データ処理部２３は画像データをサーマルヘッド１０で熱転写するための印画データに変換する処理を行う。
【００３７】
キャリブレーション画像データ取得部２４は後述するキャリブレーション画像７０を取得する処理を行う。
【００３８】
判断部２５は熱転写プリンタ１００における各種判断を行う。
【００３９】
印画制御部２６は、後述する印画部５０が有する用紙搬送駆動部５１と、インクシート搬送駆動部５２と、サーマルヘッド駆動部５３と、記録用紙切断機構駆動部５４の動作の制御を行う。
【００４０】
記憶部３０は、少なくともプログラム記憶部３１と、濃度調整パラメーター記憶部３２と、処理データ記憶部３３と、入力画像データ記憶部３４と、キャリブレーション画像データ記憶部３５と、キャリブレーション用濃度調整パラメーター記憶部３６と、キャリブレーションパターン対応記憶部３７と、を備える。プログラム記憶部３１と、濃度調整パラメーター記憶部３２と、処理データ記憶部３３と、入力画像データ記憶部３４と、キャリブレーション画像データ記憶部３５と、キャリブレーション用濃度調整パラメーター記憶部３６と、キャリブレーションパターン対応記憶部３７は、メモリー１６に各々の記憶部に関連するデータが記憶されることで実現される。
【００４１】
プログラム記憶部３１はプロセッサー１５により実行されるソフトウェアのプログラムを記憶する。
【００４２】
濃度調整パラメーター記憶部３２は後述するキャリブレーション処理において設定された濃度調整パラメーターを記憶する。
【００４３】
処理データ記憶部３３はそれぞれの処理で変換されたデータを記憶する。
【００４４】
入力画像データ記憶部３４は入出力部４０より入力された入力画像データを記憶する。
【００４５】
キャリブレーション画像データ記憶部３５はキャリブレーション画像データ取得部２４がキャリブレーション画像７０を取得するために必要なデータを記憶している。実施の形態１ではキャリブレーション画像データ記憶部３５は後述するＹ色キャリブレーションパターン７１ＹのＹ色の階調値とＭ色キャリブレーションパターン７１ＭのＭ色の階調値とＣ色キャリブレーションパターン７１ＣのＣ色の階調値とを記憶する。また、各色のキャリブレーションパターンの対応する色の階調値は中間階調値を記憶しているとする。中間階調値とは階調値の範囲の中央の値であり、階調値が０から２５５までの範囲である場合の中間階調値は１２８である。
【００４６】
キャリブレーション用濃度調整パラメーター記憶部３６はキャリブレーション処理で用いる濃度調整パラメーターを記憶している。実施の形態１ではＹ色に関する濃度調整パラメーターＹｐａｒａ１、Ｙｐａｒａ２、並びにＹｐａｒａ３と、Ｍ色に関する濃度調整パラメーターＭｐａｒａ１、Ｍｐａｒａ２、並びにＭｐａｒａ３と、Ｃ色に関する濃度調整パラメーターＣｐａｒａ１、Ｃｐａｒａ２、並びにＣｐａｒａ３を記憶する。各濃度調整パラメーターの詳細については後述する。
【００４７】
キャリブレーションパターン対応記憶部３７は後述するキャリブレーションパターンと濃度調整パラメーターの対応関係を記憶する。キャリブレーションパターン対応記憶部３７に記憶されている対応関係の詳細は後述する。
【００４８】
入出力部４０は、少なくとも処理選択受信部４１と、入力画像受信部４２と、キャリブレーションパターン選択受信部４３とを備える。処理選択受信部４１と、入力画像受信部４２と、キャリブレーションパターン選択受信部４３はハードウェアインターフェース１７によって実現される。
【００４９】
処理選択受信部４１と、入力画像受信部４２と、キャリブレーションパターン選択受信部４３は、外部情報処理装置２００より各種データを受信する。受信する各種データについて後述する実施の形態１に係る熱転写プリンタ１００の制御で詳細を説明する。
【００５０】
印画部５０は、用紙搬送駆動部５１と、インクシート搬送駆動部５２と、サーマルヘッド駆動部５３と、記録用紙切断機構駆動部５４と、を備える。
【００５１】
用紙搬送駆動部５１は、熱転写プリンタ１００に装着された記録用紙１４を所定の位置に搬送する機能を有する。用紙搬送駆動部５１は、紙ロールモーター６及び搬送モーター９によって実現される。
【００５２】
インクシート搬送駆動部５２は、熱転写プリンタ１００に装着されたインクシート１３を所定の位置に搬送する機能を有する。インクシート搬送駆動部５２は供給側モーター３及び巻取り側モーター４によって実現される。
【００５３】
サーマルヘッド駆動部５３は、サーマルヘッド１０の移動とサーマルヘッド１０の熱を発する機能を有する。サーマルヘッド駆動部５３はサーマルヘッド１０によって実現される。
【００５４】
記録用紙切断機構駆動部５４は、熱転写プリンタ１００に装着された記録用紙１４の切断を行う機能を有する。記録用紙切断機構駆動部５４はカッター１２によって実現される。
【００５５】
図４は実施の形態１に係る熱転写プリンタに装着されるインクシートの概略図である。次に、実施の形態１のインクシート１３について説明する。インクシート１３は耐熱性の特性を有するプラスティックフィルムである。インクシート１３には、Ｙ色とＭ色とＣ色の印画面６０と、保護材料面６１を備える。各印画面６０と保護材料面６１は副走査方向Ｙに沿って周期的に配置されている。Ｙ色の染料が塗布された印画面６０をＹ色印画面６０Ｙと称し、Ｍ色の染料が塗布された印画面６０をＭ色印画面６０Ｍと称し、Ｃ色の染料が塗布された印画面６０をＣ色印画面６０Ｃと称する。保護材料面６１は印画表面を機械的及び紫外線の影響を軽減する保護材料が塗布された面である。また、各印画面６０と保護材料面６１の副走査方向Ｙにおける幅は、予め定められた長さＴＡである。
【００５６】
一回の印画処理において、Ｙ色印画面６０Ｙと、Ｍ色印画面６０Ｍと、Ｃ色印画面６０Ｃと、保護材料面６１が各々一つ使用される。これら一回の印画処理で消費されるＹ色印画面６０Ｙと、Ｍ色印画面６０Ｍと、Ｃ色印画面６０Ｃと、保護材料面６１を含む領域を印画インクシート領域６２と称し、図４では第一の印画インクシート領域６２ａと第二の印画インクシート領域６２ｂを示している。
【００５７】
第一の印画インクシート領域６２ａに配置されたＹ色印画面６０Ｙ、Ｍ色印画面６０Ｍ、Ｃ色印画面６０Ｃ、並びに保護材料面６１を、それぞれ第一のＹ色印画面６０Ｙａ、第一のＭ色印画面６０Ｍａ、第一のＣ色印画面６０Ｃａ、並びに第一の保護材料面６１ａと称する。同様に第二の印画インクシート領域６２ｂに配置されたＹ色印画面６０Ｙ、Ｍ色印画面６０Ｍ、Ｃ色印画面６０Ｃ、並びに保護材料面６１を、それぞれ第二のＹ色印画面６０Ｙｂ、第二のＭ色印画面６０Ｍｂ、第二のＣ色印画面６０Ｃｂ、並びに第二の保護材料面６１ｂと称する。
【００５８】
また、第一のＹ色印画面６０Ｙａの端部のうち、副走査方向Ｙにおける原点側の端部を後端Ｙｙａと称する。同様に第一のＭ色印画面６０Ｍａ、第一のＣ色印画面６０Ｃａ、第一の保護材料面６１ａ、第二のＹ色印画面６０Ｙｂ、第二のＭ色印画面６０Ｍｂ、第二のＣ色印画面６０Ｃｂ、並びに第二の保護材料面６１ｂのそれぞれの副走査方向Ｙにおける原点側の端部を、後端Ｙｍａ、後端Ｙｃａ、後端Ｙｏｐａ、後端Ｙｙｂ、後端Ｙｍｂ、後端Ｙｃｂ、並びに後端Ｙｏｐｂと称する。
【００５９】
次に実施の形態１に係る熱転写プリンタ１００が行う各種処理について詳細に説明する。熱転写プリンタ１００は、少なくともキャリブレーション処理とパノラマ画像印画処理を行うことができる。外部情報処理装置２００よりキャリブレーション処理を行う指示を含んだ信号を処理選択受信部４１に受信した場合、熱転写プリンタ１００はキャリブレーション処理を行う。また、外部情報処理装置２００よりパノラマ画像印画処理を行う指示を含んだ信号を処理選択受信部４１に受信した場合、熱転写プリンタ１００はパノラマ画像印画処理を行う。
【００６０】
図５は実施の形態１の熱転写プリント装置のキャリブレーション処理のフローチャートである。次に実施の形態１に係る熱転写プリンタ１００のキャリブレーション処理の詳細について説明する。なお、図５のフローチャートの開始時の前提として、外部情報処理装置２００よりキャリブレーション処理を行う指示を含んだ信号を処理選択受信部４１に受信したとする。
【００６１】
ステップＳ１００では、キャリブレーション画像データ取得部２４がキャリブレーション画像７０のデータの取得処理を行う。
【００６２】
図６は実施の形態１に係る熱転写プリント装置のキャリブレーション画像のデータの取得処理の詳細なフローチャートである。図７は実施の形態１に係る熱転写プリント装置のステップＳ１００の処理が終了した直後におけるキャリブレーション画像を示す図である。ここでステップＳ１００において処理されるキャリブレーション画像の取得処理の詳細について説明する。なお、図６のフローチャートの開始時の前提として、図５のフローチャートにおいてステップＳ１００の処理を開始し、キャリブレーション画像７０のデータは、全ての範囲の画素においてＹ色の階調値が０、Ｍ色の階調値が０、Ｃ色の階調値が０である状態とする。
【００６３】
ステップＳ２００では、キャリブレーション画像データ取得部２４はキャリブレーション画像データ記憶部３５に記憶されているＹ色キャリブレーションパターン７１ＹのＹ色の階調値と、Ｍ色キャリブレーションパターン７１ＭのＭ色の階調値と、Ｃ色キャリブレーションパターン７１ＣのＣ色の階調値を取得する。
【００６４】
ステップＳ２００の処理の終了後、ステップＳ２０１へ進む。ステップＳ２０１では、キャリブレーション画像データ取得部２４はキャリブレーションパターン７１の範囲の設定を行う。キャリブレーション画像データ取得部２４は、プログラム記憶部３１に記憶されたプログラムに従って、キャリブレーション画像７０における予め定められた位置に予め定められたサイズをキャリブレーションパターン７１の範囲と設定する。
【００６５】
実施の形態１では３つのＹ色キャリブレーションパターン７１Ｙの範囲と、３つのＭ色キャリブレーションパターン７１Ｍの範囲と、３つのＣ色キャリブレーションパターン７１Ｃの範囲をそれぞれ設定している。それぞれのキャリブレーションパターン７１を、第一のＹ色キャリブレーションパターン７１Ｙａ、第二のＹ色キャリブレーションパターン７１Ｙｂと、第三のＹ色キャリブレーションパターン７１Ｙｃ、第一のＭ色キャリブレーションパターン７１Ｍａ、第二のＭ色キャリブレーションパターン７１Ｍｂと、第三のＭ色キャリブレーションパターン７１Ｍｃ、第一のＣ色キャリブレーションパターン７１Ｃａ、第二のＣ色キャリブレーションパターン７１Ｃｂと、第三のＣ色キャリブレーションパターン７１Ｃｃと、称する。
【００６６】
また、第一のＹ色キャリブレーションパターン７１Ｙａの範囲は、副走査方向Ｙにおける座標ＴＰｓを始点とし副走査方向Ｙに平行な長さの幅ＴＰの辺と、主走査方向Ｘの座標ＬＹａを始点とし主走査方向Ｘに平行な長さＬＰの辺で構成される長方形の範囲として設定される。
【００６７】
同様に、第二のＹ色キャリブレーションパターン７１Ｙｂ、第三のＹ色キャリブレーションパターン７１Ｙｃ、第一のＭ色キャリブレーションパターン７１Ｍａ、第二のＭ色キャリブレーションパターン７１Ｍｂ、第三のＭ色キャリブレーションパターン７１Ｍｃ、第一のＣ色キャリブレーションパターン７１Ｃａ、第二のＣ色キャリブレーションパターン７１Ｃｂ、並びに第三のＣ色キャリブレーションパターン７１Ｃｃのそれぞれの範囲は、副走査方向Ｙにおける座標ＴＰｓを始点とした副走査方向Ｙに平行な長さＴＰの辺と、主走査方向Ｘにおける座標ＬＹｂ、ＬＹｃ、ＬＭａ、ＬＭｂ、ＬＭｃ、ＬＣａ、ＬＣｂ、並びにＬＣｃを始点とした長さＬＰの辺で構成される長方形の範囲としてそれぞれ設定される。
【００６８】
ステップＳ２０１の処理の終了後、ステップＳ２０２へ進む。ステップＳ２０２では、キャリブレーション画像データ取得部２４はキャリブレーション画像７０のデータのうちステップＳ２０１で設定したキャリブレーションパターン７１の範囲に対応する画素の階調値をステップＳ２００で取得した各色のキャリブレーションパターン７１の階調値に変更する。
【００６９】
実施の形態１ではキャリブレーション画像７０のデータのうち第一のＹ色キャリブレーションパターン７１Ｙａの範囲と、第二のＹ色キャリブレーションパターン７１Ｙｂの範囲と、第三のＹ色キャリブレーションパターン７１Ｙｃの範囲に対応する画素において、Ｙ色の階調値が１２８、Ｍ色の階調値が０、Ｃ色の階調値が０に変更される。
【００７０】
また、キャリブレーション画像７０のデータのうち第一のＭ色キャリブレーションパターン７１Ｍａの範囲と、第二のＭ色キャリブレーションパターン７１Ｍｂの範囲と、第三のＭ色キャリブレーションパターン７１Ｍｃの範囲に対応する画素において、Ｙ色の階調値が０、Ｍ色の階調値が１２８、Ｃ色の階調値が０に変更される。
【００７１】
さらに、キャリブレーション画像７０のデータのうち第一のＣ色キャリブレーションパターン７１Ｃａの範囲と、第二のＣ色キャリブレーションパターン７１Ｃｂの範囲と、第三のＣ色キャリブレーションパターン７１Ｃｃの範囲に対応する画素において、Ｙ色の階調値が０、Ｍ色の階調値が０、Ｃ色の階調値が１２８に変更される。
【００７２】
ステップ２０２の処理の終了後、キャリブレーション画像７０のデータの取得処理を終了する。
【００７３】
図７に示すように、ステップＳ２００からステップＳ２０２までの処理によって９つのキャリブレーションパターン７１を含むキャリブレーション画像７０のデータが取得される。また、９つのキャリブレーションパターン７１は、各々の画素のＹ色の階調値が同じである３つのＹ色キャリブレーション７１Ｙと、各々の画素のＭ色の階調値が同じ３つのＭ色キャリブレーション７１Ｍと、各々の画素のＣ色の階調値が同じ３つのＣ色キャリブレーション７１Ｃとで構成されている。つまり、各々の色のキャリブレーションパターン７１における色の濃度は一定である。
【００７４】
それぞれのキャリブレーションパターン７１の後端部は、座標ＴＰｓにおける主走査方向Ｘに平行な辺が該当する。また、それぞれのキャリブレーションパターン７１の先端部は、座標ＴＰｅにおける主走査方向Ｘに平行な辺が該当する。
【００７５】
図８は実施の形態１に係る熱転写プリント装置のステップＳ１００の処理が終了した直後におけるキャリブレーション画像のデータのうち各々の画素のＹ色の階調値を示す表である。ここでキャリブレーション画像７０のデータ内の各々の画素の階調値について例示する。図８に示すようにキャリブレーション画像７０のデータは、副走査方向Ｙにおけるライン番号が＃ＴＰｓから＃ＴＰｅまで、主走査方向Ｘにおけるライン番号が＃ＬＹａから＃ＬＹａ＋ＬＰまでの範囲の画素がＹ色の階調値が１２８に変更されており、この範囲の画素は第一のＹ色キャリブレーションパターン７１Ｙａに該当する。また、キャリブレーション画像７０のデータは、副走査方向Ｙにおけるライン番号が＃ＴＰｓから＃ＴＰｅまでと、主走査方向Ｘにおけるライン番号が＃ＬＹｂから＃ＬＹｂ＋ＬＰまでの範囲の画素がＹ色の階調値が１２８に変更されており、これらの画素は第二のＹ色キャリブレーションパターン７１Ｙｂに該当する。さらに、キャリブレーション画像７０のデータは、副走査方向Ｙにおけるライン番号が＃ＴＰｓから＃ＴＰｅまでと、主走査方向Ｘにおけるライン番号が＃ＬＹｃから＃ＬＹｃ＋ＬＰまでの範囲の画素がＹ色の階調値が１２８に変更されており、この範囲の画素は第三のＹ色キャリブレーションパターン７１Ｙｃに該当する。
【００７６】
図５を用い、再びキャリブレーション処理のフローチャートの詳細について説明する。ステップＳ１００の処理の終了後、ステップＳ１０１に進む。ステップＳ１０１では分割画像データ取得部２１がステップＳ１００で取得されたキャリブレーション画像７０のデータを基に複数の分割キャリブレーション画像のデータを取得する。実施の形態１では分割キャリブレーション画像は一画面目キャリブレーション画像７０ａと二画面目キャリブレーション画像７０ｂであり、ステップＳ１０１では一画面目キャリブレーション画像７０ａのデータと、二画面目キャリブレーション画像７０ｂのデータを取得する。
【００７７】
図９は実施の形態１に係る熱転写プリント装置のステップＳ１０１の処理直後における一画面目キャリブレーション画像を示す図である。一画面目キャリブレーション画像７０ａは、９つの一画面目キャリブレーションパターン７１ａを含む。
【００７８】
それぞれの一画面目キャリブレーションパターン７１ａを、第一の一画面目Ｙ色キャリブレーションパターン７１Ｙａａと、第二の一画面目Ｙ色キャリブレーションパターン７１Ｙｂａと、第三の一画面目Ｙ色キャリブレーションパターン７１Ｙｃａと、第一の一画面目Ｍ色キャリブレーションパターン７１Ｍａａと、第二の一画面目Ｍ色キャリブレーションパターン７１Ｍｂａと、第三の一画面目Ｍ色キャリブレーションパターン７１Ｍｃａと、第一の一画面目Ｃ色キャリブレーションパターン７１Ｃａａと、第二の一画面目Ｃ色キャリブレーションパターン７１Ｃｂａと、第三の一画面目Ｃ色キャリブレーションパターン７１Ｃｃａと称する。なお、それぞれの一画面目キャリブレーションパターン７１ａの主走査方向Ｘにおける座標と長さは、対応するキャリブレーションパターン７１と同一であるため、一画面目キャリブレーションパターン７１ａの主走査方向Ｘに関する説明は省略する。
【００７９】
ＴＰ１は、一画面目キャリブレーションパターン７１ａの副走査方向Ｙにおける長さである。ＴＰ１はインクシート１３の印画面６０の副走査方向Ｙにおける長さＴＡ以下の長さである。また、一画面目キャリブレーションパターン７１ａの先端部は座標ＴＰＳｅにおける主走査方向Ｘに平行な辺である。また、一画面目キャリブレーションパターン７１ａの後端部は、キャリブレーションパターン７１と同様に座標ＴＰｓにおける主走査方向Ｘに平行な辺である。なお、一画面目キャリブレーションパターン７１ａの階調に関するデータは、キャリブレーションパターン７１のＴＰｓからＴＰＳｅの区間の階調に関するデータと同一である。
【００８０】
また、一画面目キャリブレーションパターン７１ａの座標ＴＰＳｓよりも先端部側には、後述する二画面目キャリブレーションパターン７１ｂと印画時に重畳する部分である一画面目重畳部７２ａを含んでいる。第一の一画面目Ｙ色キャリブレーションパターン７１Ｙａａの一画面目重畳部７２ａを第一の一画面目Ｙ色重畳部７２Ｙａａと称する。第二の一画面目Ｙ色キャリブレーションパターン７１Ｙｂａの一画面目重畳部７２ａを第二の一画面目Ｙ色重畳部７２Ｙｂａと称する。第三の一画面目Ｙ色キャリブレーションパターン７１Ｙｃａの一画面目重畳部７２ａを第三の一画面目Ｙ色重畳部７２Ｙｃａと称する。第一の一画面目Ｍ色キャリブレーションパターン７１Ｍａａの一画面目重畳部７２ａを第一の一画面目Ｍ色重畳部７２Ｍａａと称する。第二の一画面目Ｍ色キャリブレーションパターン７１Ｍｂａの一画面目重畳部７２ａを第二の一画面目Ｍ色重畳部７２Ｍｂａと称する。第三の一画面目Ｍ色キャリブレーションパターン７１Ｍｃａの一画面目重畳部７２ａを第三の一画面目Ｍ色重畳部７２Ｍｃａと称する。第一の一画面目Ｃ色キャリブレーションパターン７１Ｃａａの一画面目重畳部７２ａを第一の一画面目Ｃ色重畳部７２Ｃａａと称する。第二の一画面目Ｃ色キャリブレーションパターン７１Ｃｂａの一画面目重畳部７２ａを第二の一画面目Ｃ色重畳部７２Ｃｂａと称する。第三の一画面目Ｃ色キャリブレーションパターン７１Ｃｃａの一画面目重畳部７２ａを第三の一画面目Ｃ色重畳部７２Ｃｃａと称する。また、ＴＰ３は一画面目重畳部７２ａの副走査方向Ｙにおける長さである。
【００８１】
さらに、一画面目キャリブレーションパターン７１ａの座標ＴＰＳｓよりも後端部側には、後述する二画面目キャリブレーションパターン７１ｂと印画時に重畳しない部分である一画面目非重畳部７３ａを含んでいる。第一の一画面目Ｙ色キャリブレーションパターン７１Ｙａａの一画面目非重畳部７３ａを第一の一画面目Ｙ色非重畳部７３Ｙａａと称する。第二の一画面目Ｙ色キャリブレーションパターン７１Ｙｂａの一画面目非重畳部７３ａを第二の一画面目Ｙ色非重畳部７３Ｙｂａと称する。第三の一画面目Ｙ色キャリブレーションパターン７１Ｙｃａの一画面目非重畳部７３ａを第三の一画面目Ｙ色非重畳部７３Ｙｃａと称する。第一の一画面目Ｍ色キャリブレーションパターン７１Ｍａａの一画面目非重畳部７３ａを第一の一画面目Ｍ色非重畳部７３Ｍａａと称する。第二の一画面目Ｍ色キャリブレーションパターン７１Ｍｂａの一画面目非重畳部７３ａを第二の一画面目Ｍ色非重畳部７３Ｍｂａと称する。第三の一画面目Ｍ色キャリブレーションパターン７１Ｍｃａの一画面目非重畳部７３ａを第三の一画面目Ｍ色非重畳部７３Ｍｃａと称する。第一の一画面目Ｃ色キャリブレーションパターン７１Ｃａａの一画面目非重畳部７３ａを第一の一画面目Ｃ色非重畳部７３Ｃａａと称する。第二の一画面目Ｃ色キャリブレーションパターン７１Ｃｂａの一画面目非重畳部７３ａを第二の一画面目Ｃ色非重畳部７３Ｃｂａと称する。第三の一画面目Ｃ色キャリブレーションパターン７１Ｃｃａの一画面目非重畳部７３ａを第三の一画面目Ｃ色非重畳部７３Ｃｃａと称する。
【００８２】
図１０は実施の形態１に係る熱転写プリント装置のステップＳ１０１の処理が終了した直後における一画面目キャリブレーション画像のデータのうち各々の画素のＹ色の階調値を示す表である。ここで一画面目キャリブレーション画像７０ａのデータ内の画素の階調値について例示する。なお、同一の一画面目キャリブレーションパターン７１ａにおいて主走査方向Ｘにおけるライン番号が同じ画素であれば同じ階調値とであるため、主走査方向Ｘごとの画素の階調値については説明を省略する。図１０に示す一画面目キャリブレーション画像７０ａのデータと図８に示すキャリブレーション画像７０のデータとを比較すると、一画面目キャリブレーション画像７０ａのデータは副走査方向Ｙにおけるライン番号＃ＴＰＳｅ＋１から＃Ｔｐｅまでの範囲の画素のＹ色の階調値が０になっている。
【００８３】
図１１は実施の形態１に係る熱転写プリント装置のステップＳ１０１の処理直後における二画面目キャリブレーション画像を示す図である。二画面目キャリブレーション画像７０ｂは、９つの二画面目キャリブレーションパターン７１ｂを含む。
【００８４】
それぞれの二画面目キャリブレーションパターン７１ｂを、第一の二画面目Ｙ色キャリブレーションパターン７１Ｙａｂと、第二の二画面目Ｙ色キャリブレーションパターン７１Ｙｂｂと、第三の二画面目Ｙ色キャリブレーションパターン７１Ｙｃｂと、第一の二画面目Ｍ色キャリブレーションパターン７１Ｍａｂと、第二の二画面目Ｍ色キャリブレーションパターン７１Ｍｂｂと、第三の二画面目Ｍ色キャリブレーションパターン７１Ｍｃｂと、第一の二画面目Ｃ色キャリブレーションパターン７１Ｃａｂと、第二の二画面目Ｃ色キャリブレーションパターン７１Ｃｂｂと、第三の二画面目Ｃ色キャリブレーションパターン７１Ｃｃｂと称する。なお、それぞれの二画面目キャリブレーションパターン７１ｂの主走査方向Ｘの座標と長さは、対応するキャリブレーションパターン７１と同一であるため、二画面目キャリブレーションパターン７１ｂの主走査方向Ｘに関する説明は省略する。
【００８５】
ＴＰ２は、二画面目キャリブレーションパターン７１ｂの副走査方向Ｙにおける長さを示す。ＴＰ２はインクシート１３の印画面６０の副走査方向Ｙにおける長さＴＡ以下の長さである。また、二画面目キャリブレーションパターン７１ｂの後端部は座標ＴＰＳｓにおける主走査方向Ｘに平行な辺である。なお、二画面目キャリブレーションパターン７１ｂの先端部は、キャリブレーションパターン７１と同様にＴＰｅである。また、二画面目キャリブレーションパターン７１ｂの階調値は、キャリブレーションパターン７１のＴＰＳｓからＴＰｅの区間の階調値と同一である。
【００８６】
また、二画面目キャリブレーションパターン７１ｂの座標ＴＰＳｅよりも後端部側には、印画時に一画面目キャリブレーションパターン７１ａの一画面目重畳部７２ａと重畳する部分である二画面目重畳部７２ｂを含んでいる。第一の二画面目Ｙ色キャリブレーションパターン７１Ｙａｂの二画面目重畳部７２ｂを第一の二画面目Ｙ色重畳部７２Ｙａｂと称する。第二の二画面目Ｙ色キャリブレーションパターン７１Ｙｂｂの二画面目重畳部７２ｂを第二の二画面目Ｙ色重畳部７２Ｙｂｂと称する。第三の二画面目Ｙ色キャリブレーションパターン７１Ｙｃｂの二画面目重畳部７２ｂを第三の二画面目Ｙ色重畳部７２Ｙｃｂと称する。第一の二画面目Ｍ色キャリブレーションパターン７１Ｍａｂの二画面目重畳部７２ｂを第一の二画面目Ｍ色重畳部７２Ｍａｂと称する。第二の二画面目Ｍ色キャリブレーションパターン７１Ｍｂｂの二画面目重畳部７２ｂを第二の二画面目Ｍ色重畳部７２Ｍｂｂと称する。第三の二画面目Ｍ色キャリブレーションパターン７１Ｍｃｂの二画面目重畳部７２ｂを第三の二画面目Ｍ色重畳部７２Ｍｃｂと称する。第一の二画面目Ｃ色キャリブレーションパターン７１Ｃａｂの二画面目重畳部７２ｂを第一の二画面目Ｃ色重畳部７２Ｃａｂと称する。第二の二画面目Ｃ色キャリブレーションパターン７１Ｃｂｂの二画面目重畳部７２ｂを第二の二画面目Ｃ色重畳部７２Ｃｂｂと称する。第三の二画面目Ｃ色キャリブレーションパターン７１Ｃｃｂの二画面目重畳部７２ｂを第三の二画面目Ｃ色重畳部７２Ｃｃｂと称する。また、ＴＰ３は二画面目重畳部７２ｂの副走査方向Ｙにおける長さである。
【００８７】
さらに、二画面目キャリブレーションパターン７１ｂの座標ＴＰＳｅよりも後端部側には、一画面目キャリブレーションパターン７１ａと印画時に重畳しない部分である二画面目非重畳部７３ｂを含んでいる。第一の二画面目Ｙ色キャリブレーションパターン７１Ｙａｂの二画面目非重畳部７３ｂを第一の二画面目Ｙ色非重畳部７３Ｙａｂと称する。第二の二画面目Ｙ色キャリブレーションパターン７１Ｙｂｂの二画面目非重畳部７３ｂを第二の二画面目Ｙ色非重畳部７３Ｙｂｂと称する。第三の二画面目Ｙ色キャリブレーションパターン７１Ｙｃｂの二画面目非重畳部７３ｂを第三の二画面目Ｙ色非重畳部７３Ｙｃｂと称する。第一の二画面目Ｍ色キャリブレーションパターン７１Ｍａｂの二画面目非重畳部７３ｂを第一の二画面目Ｍ色非重畳部７３Ｍａｂと称する。第二の二画面目Ｍ色キャリブレーションパターン７１Ｍｂｂの二画面目非重畳部７３ｂを第二の二画面目Ｍ色非重畳部７３Ｍｂｂと称する。第三の二画面目Ｍ色キャリブレーションパターン７１Ｍｃｂの二画面目非重畳部７３ｂを第三の二画面目Ｍ色非重畳部７３Ｍｃｂと称する。第一の二画面目Ｃ色キャリブレーションパターン７１Ｃａｂの二画面目非重畳部７３ｂを第一の二画面目Ｃ色非重畳部７３Ｃａｂと称する。第二の二画面目Ｃ色キャリブレーションパターン７１Ｃｂｂの二画面目非重畳部７３ｂを第二の二画面目Ｃ色非重畳部７３Ｃｂｂと称する。第三の二画面目Ｃ色キャリブレーションパターン７１Ｃｃｂの二画面目非重畳部７３ｂを第三の二画面目Ｃ色非重畳部７３Ｃｃｂと称する。
【００８８】
なお、以降、一画面目重畳部７２ａと二画面目重畳部７２ｂを区別しない場合は重畳部７２と称する。また、一画面目非重畳部７３ａと二画面目非重畳部７３ｂを区別しない場合は非重畳部７３と称する。
【００８９】
図１２は実施の形態１に係る熱転写プリント装置のステップＳ１０１の処理が終了した直後における二画面目キャリブレーション画像のデータのうち各々の画素のＹ色の階調値を示す表である。ここで二画面目キャリブレーション画像７０ｂのデータ内の各々の画素の階調値について例示する。なお、一画面目キャリブレーションパターン７１ａと同じ理由で、主走査方向Ｘごとの画素の階調値については説明を省略する。図１０に示す一画面目キャリブレーション画像７０ａのデータと図８に示すキャリブレーション画像７０のデータとを比較すると、一画面目キャリブレーション画像７０ａのデータは副走査方向Ｙにおけるライン番号＃ＴＰｓから＃ＴＰＳｓ−１までの範囲の画素のＹ色の階調値が０になっている。
【００９０】
図５を用い、再びキャリブレーション処理のフローチャートの詳細について説明する。ステップＳ１０１の処理の終了後、ステップＳ１０２に進む。ステップＳ１０２では、処理データ記憶部３３が一画面目キャリブレーション画像７０ａのデータと、二画面目キャリブレーション画像７０ｂのデータを記憶する。
【００９１】
ステップＳ１０２の処理の後、ステップＳ１０３へ進む。ステップＳ１０３では濃度調整処理部２２は、キャリブレーション用濃度調整パラメーター記憶部３６に記憶された濃度調整パラメーターＹｐａｒａ１を用いて、キャリブレーションパターン対応記憶部３７に記憶されている濃度調整パラメーターＹｐａｒａ１と対応付けされたキャリブレーションパターン７１の濃度調整処理を行う。なお、濃度調整処理については詳細を後述する。
【００９２】
ステップＳ１０３の処理が終了した後、ステップＳ１０４に進み、濃度調整処理部２２はキャリブレーション用濃度調整パラメーター記憶部３６に記憶された濃度調整パラメーターＹｐａｒａ２を用いて、キャリブレーションパターン対応記憶部３７に記憶されている濃度調整パラメーターＹｐａｒａ２と対応付けされたキャリブレーションパターン７１の濃度調整処理を行う。
【００９３】
ステップ１０４の処理が終了した後、ステップＳ１０５に進み、濃度調整処理部２２はキャリブレーション用濃度調整パラメーター記憶部３６に記憶された濃度調整パラメーターＹｐａｒａ３を用いて、キャリブレーションパターン対応記憶部３７に記憶されている濃度調整パラメーターＹｐａｒａ３と対応付けされたキャリブレーションパターン７１の濃度調整処理を行う。
【００９４】
以降、ステップＳ１０６、ステップＳ１０７、ステップＳ１０８、ステップＳ１０９、ステップＳ１１０、並びにステップＳ１１１では、濃度調整処理部２２はキャリブレーション用濃度調整パラメーター記憶部３６に記憶された濃度調整パラメーターＭｐａｒａ１、Ｍｐａｒａ２、Ｍｐａｒａ３、Ｃｐａｒａ１、Ｃｐａｒａ２、並びにＣｐａｒａ３をそれぞれ用いて、キャリブレーションパターン対応記憶部３７に記憶されているそれぞれの濃度調整パラメーターと対応付けされたキャリブレーションパターン７１の濃度調整処理を行う。ステップＳ１０６、ステップＳ１０７、ステップＳ１０８、ステップＳ１０９、ステップＳ１１０、並びにステップＳ１１１のそれぞれの処理が終了すると、ステップＳ１０７、ステップＳ１０８、ステップＳ１０９、ステップＳ１１０、ステップＳ１１１、並びにステップＳ１１２のそれぞれに進む。
【００９５】
図１３は実施の形態１に係る熱転写プリント装置のキャリブレーションパターンの濃度調整処理の詳細なフローチャートである。ここでキャリブレーションパターンの濃度調整処理の詳細について説明する。なお、図１０のフローチャートの開始時の前提として、図６のフローチャートにおいてステップＳ１０３からステップＳ１１１までのいずれかのステップの処理を開始したとする。
【００９６】
まず、ステップＳ３００では、濃度調整処理部２２はキャリブレーション用濃度調整パラメーター記憶部３６に記憶された濃度調整パラメーターを取得する。ステップＳ３００で取得する濃度調整パラメーターは、ステップＳ１０３からステップＳ１１１の各処理に応じて決められている。ステップＳ１０３ではＹｐａｒａ１を、ステップＳ１０４ではＹｐａｒａ２を、ステップＳ１０５ではＹｐａｒａ３を、ステップＳ１０６ではＭｐａｒａ１を、ステップＳ１０７ではＭｐａｒａ２を、ステップＳ１０８ではＭｐａｒａ３を、ステップＳ１０９ではＣｐａｒａ１を、ステップＳ１１０ではＣｐａｒａ２を、ステップＳ１１１ではＣｐａｒａ３を、濃度調整処理部２２は取得する。
【００９７】
ステップＳ３００の処理の終了後、ステップＳ３０１へ進む。ステップＳ３０１では、濃度調整処理部２２は、ステップＳ３００で取得した濃度調整パラメーターと対応関係にあるキャリブレーションパターンがどのキャリブレーションパターンであるかキャリブレーションパターン対応記憶部３７より取得する。
【００９８】
図１４は実施の形態１に係る熱転写プリント装置のキャリブレーションパターン対応記憶部に記憶されている濃度調整パラメーターとキャリブレーションパターンの対応関係を示す表である。実施の形態１では、キャリブレーションパターン対応記憶部３７は、濃度調整パラメーターＹｐａｒａ１と第一のＹ色キャリブレーションパターン７１Ｙａとが、濃度調整パラメーターＹｐａｒａ２と第二のＹ色キャリブレーションパターン７２Ｙｂとが、濃度調整パラメーターＹｐａｒａ３と第三のＹ色キャリブレーションパターン７３Ｙｃとが、濃度調整パラメーターＭｐａｒａ１と第一のＭ色キャリブレーションパターン７１Ｍａとが、濃度調整パラメーターＭｐａｒａ２と第二のＭ色キャリブレーションパターン７１Ｍｂとが、濃度調整パラメーターＭｐａｒａ３と第三のＭ色キャリブレーションパターン７１Ｍｃとが、濃度調整パラメーターＣｐａｒａ１と第一のＣ色キャリブレーションパターン７１Ｃａとが、濃度調整パラメーターＣｐａｒａ２と第二のＣ色キャリブレーションパターン７１Ｃｂとが、濃度調整パラメーターＣｐａｒａ３と第三のＣ色キャリブレーションパターン７１Ｃｃとが、それぞれ対応関係にあるように記憶している。
【００９９】
図１３を用い、再びキャリブレーションパターンの濃度調整処理のフローチャートの詳細について説明する。ステップＳ３０１の処理の終了後、ステップＳ３０２へ進む。ステップＳ３０２では、濃度調整処理部２２はステップＳ３０１で取得した濃度調整パラメーターを用いて、処理データ記憶部３３に記憶されている一画面目キャリブレーション画像７０ａのデータと二画面目キャリブレーション画像７０ｂについて、ステップＳ３０１で取得した対応関係にあるキャリブレーションパターン７１の重畳部７２に対して濃度調整処理を行う。
【０１００】
図１５は実施の形態１に係る熱転写プリント装置のステップＳ１１１の処理が終了した直後における一画面目キャリブレーション画像を示す図である。図１６は実施の形態１に係る熱転写プリント装置のステップＳ１１１の処理が終了した直後における一画面目キャリブレーション画像の第一のＹ色キャリブレーションパターンの副走査方向Ｙにおける座標ＴＰＳｓからＴＰＳｅまでのＹ色の濃度を示すグラフである。図１７は実施の形態１に係る熱転写プリント装置のステップＳ１１１の処理が終了した直後における一画面目キャリブレーション画像の第二のＹ色キャリブレーションパターンの副走査方向Ｙにおける座標ＴＰＳｓからＴＰＳｅまでのＹ色の濃度を示すグラフである。図１８は実施の形態１に係る熱転写プリント装置のステップＳ１１１の処理が終了した直後における一画面目キャリブレーション画像の第三のＹ色キャリブレーションパターンの副走査方向Ｙにおける座標ＴＰＳｓからＴＰＳｅまでのＹ色の濃度を示すグラフである。ここで一画面目キャリブレーション画像７０ａに対する濃度調整パラメーターの詳細と全ての濃度調整処理が終了した後の一画面目キャリブレーション画像７０ａについて説明する。
【０１０１】
各濃度調整パラメーターは、対応関係にある一画面目キャリブレーションパターン７１ａの一画面目重畳部７２ａに対して副走査方向Ｙにおける後端側から先端側に向かって画像の濃度が段階的に徐々に低くなるように濃度調整を行うように設定されている。さらに、各濃度調整パラメーターは一画面目重畳部７２ａの後端部であるＴＰＳｓにおける濃度は濃度調整前の濃度を維持しており、先端部であるＴＰＳｅではＹ色の濃度は０となるよう調整する。
【０１０２】
さらに、濃度調整パラメーターＹｐａｒａ１、Ｙｐａｒａ２、Ｙｐａｒａ３は、一画面目重畳部７２ａにおける濃度を、先端部と後端部を除いて同一の副走査方向Ｙにおける座標では、Ｙｐａｒａ１を用いた濃度調整後のＹ色の濃度＜Ｙｐａｒａ２を用いた濃度調整後のＹ色の濃度＜Ｙｐａｒａ３を用いた濃度調整後のＹ色の濃度、の関係を満たすように設定されている。
【０１０３】
従って、濃度調整後の一画面目キャリブレーションパターン７１ａにおいて、一画面目重畳部７２ａは副走査方向Ｙにおける後端側から先端側に向かって濃度が段階的に徐々に低くなっている。また、一画面目重畳部７２ａにおける先端部と後端部を除いた同一の副走査方向Ｙにおける座標のＹ色の濃度は、第一の一画面目Ｙ色重畳部７２Ｙａａ＜第二の一画面目Ｙ色重畳部７２Ｙｂａ＜第三の一画面目Ｙ色重畳部７２Ｙａｃの関係を満たす。
【０１０４】
濃度調整パラメーターＭｐａｒａ１、Ｍｐａｒａ２、Ｍｐａｒａ３、及び濃度調整パラメーターＣｐａｒａ１、Ｃｐａｒａ２、Ｃｐａｒａ３も同様の関係を満たすように設定されている。つまり、一画面目重畳部７２ａにおける濃度を、先端部と後端部を除いた同一の副走査方向Ｙにおける座標では、Ｍｐａｒａ１を用いた濃度調整後のＭ色の濃度＜Ｍｐａｒａ２を用いた濃度調整後のＭ色の濃度＜Ｍｐａｒａ３を用いた濃度調整後のＭ色の濃度の関係の関係を満たし、Ｃｐａｒａ１を用いた濃度調整後のＣ色の濃度＜Ｃｐａｒａ２を用いた濃度調整後のＣ色の濃度＜Ｃｐａｒａ３を用いた濃度調整後のＣ色の濃度の関係も満たす。
【０１０５】
従って、濃度調整後の一画面目キャリブレーション画像７０ａにおいて、一画面目重畳部７２ａにおける先端部と後端部を除いた同一の副走査方向Ｙにおける座標のＭ色の濃度及びＣ色の濃度は、第一の一画面目Ｍ色重畳部７２Ｍａａ＜第二の一画面目Ｍ色重畳部７２Ｍｂａ＜第三の一画面目Ｍ色重畳部７２Ｍｃａの関係を満たし、第一の一画面目Ｃ色重畳部７２Ｃａａ＜第二の一画面目Ｃ色重畳部７２Ｃｂａ＜第三の一画面目Ｃ色重畳部７２Ｃｃａの関係も満たす。
【０１０６】
図１９は実施の形態１に係る熱転写プリント装置の一画面目キャリブレーション画像に対する濃度調整パラメーターＹｐａｒａ１、Ｙｐａｒａ２、Ｙｐａｒａ３に関するデータを示す表である。図２０は実施の形態１に係る熱転写プリント装置のステップＳ１１１の処理が終了した直後における一画面目キャリブレーション画像のデータのうち各々の画素のＹ色の階調値を示す表である。ここで濃度調整パラメーターの具体的なデータと、濃度調整後の一画面目キャリブレーション画像７０ａのデータ内の画素の階調値について例示する。
【０１０７】
一画面目キャリブレーション画像７０ａに対する濃度調整パラメーターＹｐａｒａ１、Ｙｐａｒａ２、Ｙｐａｒａ３は、副走査方向Ｙにおけるライン番号＃Ｎから＃Ｎ＋ＴＰ３まで、各画素の副走査方向Ｙにおけるライン番号に応じて濃度調整係数が予め定められている。濃度調整係数とは濃度調整対象となる画素の階調値に乗算される係数であり、濃度調整係数の上限は１、下限は０である。また、副走査方向Ｙにおけるライン番号＃Ｎは濃度調整処理を行う範囲の最も後端に位置する画素のライン番号であり、実施の形態１では＃ＴＰＳｓに相当する。さらに、実施の形態１において重畳部７２の長さはＴＰ３であるため、＃Ｎ＋ＴＰ３は＃ＴＰＳｅに相当する。
【０１０８】
一画面目キャリブレーション画像７０ａに対する濃度調整パラメーターＹｐａｒａ１、Ｙｐａｒａ２、Ｙｐａｒａ３の副走査方向Ｙにおけるライン番号＃Ｎにおける濃度調整係数は１と予め定められ、副走査方向Ｙにおけるライン番号＃Ｎ＋ＴＰ３における濃度調整係数は０と予め定められている。また、濃度調整係数は、副走査方向Ｙにおける後端側から先端側に向かって段階的に徐々に低くなるように予め定められている。
【０１０９】
さらに、一画面目キャリブレーション画像７０ａに対する濃度調整パラメーターＹｐａｒａ１、Ｙｐａｒａ２、Ｙｐａｒａ３の副走査方向Ｙのライン番号＃Ｎ＋１から＃Ｎ＋ＴＰ３−１までの濃度係数は、同一の副走査方向Ｙのライン番号では、濃度調整パラメーターＹｐａｒａ１の濃度係数＜濃度調整パラメーターＹｐａｒａ２の濃度係数＜濃度調整パラメーターＹｐａｒａ３の濃度係数の関係を満たすように予め定められている。例えば、＃Ｎ＋（ＴＰ３）／２では、濃度調整パラメーターＹｐａｒａ１の濃度係数は０．２５であり、濃度調整パラメーターＹｐａｒａ２の濃度係数は０．５であり、濃度調整パラメーターＹｐａｒａ１の濃度係数は０．７５である。
【０１１０】
濃度調整後の一画面目キャリブレーション画像７０ａの画素の階調値は、次のように導出される。まず、図１０に示した濃度調整処理が行われる前の一画面目キャリブレーション画像７０ａのデータの各ライン番号の画素の階調値と、図１９で示した各濃度調整パラメーターのうち対応関係にある濃度調整パラメーターの濃度調整係数とを、同一のライン番号で乗算することで導出される。
【０１１１】
導出の例を次に示す。まず、濃度調整処理が行われる前の一画面目キャリブレーション画像７０ａの画素のＹ色階調値のうち、ライン番号＃Ｎ＋（ＴＰ３）／２の画素のＹ色階調値は、第一のＹ色キャリブレーションパターン７１Ｙａでは１２８、第二のＹ色キャリブレーションパターン７１Ｙｂでは１２８、第三のＹ色キャリブレーションパターン７１Ｙｃでは１２８である。第一のＹ色キャリブレーションパターン７１Ｙａは濃度調整パラメーターＹｐａｒａ１と対応関係にあり、濃度調整パラメーターＹｐａｒａのライン番号＃Ｎ＋（ＴＰ３）／２の濃度調整係数は０．２５である。１２８に０．２５を乗算すると３２となる。従って、濃度調整処理後の一画面目キャリブレーション画像７０ａにおける第一のＹ色キャリブレーションパターン７１Ｙａのライン番号＃Ｎ＋（ＴＰ３）／２の画素のＹ色階調値は３２となる。なお、実施の形態１では乗算した結果が整数にならない場合は、小数点以下を四捨五入し、整数とする演算を行なう。
【０１１２】
また、第二のＹ色キャリブレーションパターン７１Ｙｂは濃度調整パラメーターＹｐａｒａ２と対応関係にあり、第三のＹ色キャリブレーションパターン７１Ｙｃは濃度調整パラメーターＹｐａｒａ３と対応関係にある。第一のＹ色キャリブレーションパターン７１Ｙａと同様に導出を行い、濃度調整処理後の一画面目キャリブレーション画像７０ａにおける第二のＹ色キャリブレーションパターン７１Ｙｂのライン番号＃Ｎ＋（ＴＰ３）／２の画素のＹ色階調値は６４となり、第三のＹ色キャリブレーションパターン７１Ｙｃのライン番号＃Ｎ＋（ＴＰ３）／２の画素のＹ色階調値は９５となる。
【０１１３】
以上のように、濃度調整処理後の同一の副走査方向Ｙのライン番号＃Ｎ＋（ＴＰ３）／２における画素のＹ色階調値は、第一の一画面目Ｙ色キャリブレーションパターン７１Ｙａａ＜第二の一画目Ｙ色キャリブレーションパターン７１Ｙｂａ＜第三の一画目Ｙ色キャリブレーションパターン７１Ｙｃａ、となる。
【０１１４】
図２１は実施の形態１に係る熱転写プリント装置のステップＳ１１１の処理が終了した直後における二画面目キャリブレーション画像を示す図である。図２２は実施の形態１に係る熱転写プリント装置のステップＳ１１１の処理が終了した直後における二画面目キャリブレーション画像の第一のＹ色キャリブレーションパターンの副走査方向Ｙにおける座標ＴＰＳｓからＴＰＳｅまでのＹ色の濃度を示すグラフである。図２３は実施の形態１に係る熱転写プリント装置のステップＳ１１１の処理が終了した直後における二画面目キャリブレーション画像の第二のＹ色キャリブレーションパターンの副走査方向Ｙにおける座標ＴＰＳｓからＴＰＳｅまでのＹ色の濃度を示すグラフである。図２４は実施の形態１に係る熱転写プリント装置のステップＳ１１１の処理が終了した直後における二画面目キャリブレーション画像の第三のＹ色キャリブレーションパターンの副走査方向Ｙにおける座標ＴＰＳｓからＴＰＳｅまでのＹ色の濃度を示すグラフである。ここで二画面目キャリブレーション画像７０ｂに対する濃度調整パラメーターの詳細と全ての濃度調整処理が終了した後の二画面目キャリブレーション画像７０ｂについて説明する。
【０１１５】
各濃度調整パラメーターは、対応関係にある二画面目キャリブレーションパターン７１ｂの二画面目重畳部７２ｂに対して副走査方向Ｙの後端側から先端側に向かって画像の濃度が段階的に徐々に高くなるように濃度調整を行うように設定されている。さらに、各濃度調整パラメーターは二画面目重畳部７２ｂの後端部であるＴＰＳｓにおける濃度は０となり、先端部であるＴＰＳｅではＹ色の濃度は濃度調整前の濃度を維持するよう調整する。
【０１１６】
さらに、濃度調整パラメーターＹｐａｒａ１、Ｙｐａｒａ２、Ｙｐａｒａ３は、二画面目重畳部７２ｂにおける濃度を、一画面目重畳部７２ａと同様に、先端部と後端部を除いて同一の副走査方向Ｙにおける座標では、Ｙｐａｒａ１を用いた濃度調整後のＹ色の濃度＜Ｙｐａｒａ２を用いた濃度調整後のＹ色の濃度＜Ｙｐａｒａ３を用いた濃度調整後のＹ色の濃度、の関係を満たすように設定されている。
【０１１７】
従って、濃度調整後の二画面目キャリブレーション画像７０ｂにおいて、二画面目重畳部７２ｂは副走査方向Ｙの後端側から先端側に向かって濃度が段階的に徐々に高くなっている。また、二画面目重畳部７２ｂにおける先端部と後端部を除いた同一の副走査方向Ｙにおける座標のＹ色の濃度は、第一の二画面目Ｙ色重畳部７２Ｙａｂ＜第二の二画面目Ｙ色重畳部７２Ｙｂｂ＜第三の二画面目Ｙ色重畳部７２Ｙｃｂの関係を満たす。
【０１１８】
濃度調整パラメーターＭｐａｒａ１、Ｍｐａｒａ２、Ｍｐａｒａ３、及び濃度調整パラメーターＣｐａｒａ１、Ｃｐａｒａ２、Ｃｐａｒａ３も一画面目キャリブレーション画像７０ａと同様の関係を満たすように設定されている。つまり、二画面目重畳部７２ｂにおける濃度を、先端部と後端部を除いた同一の副走査方向Ｙにおける座標では、Ｍｐａｒａ１を用いた濃度調整後のＭ色の濃度＜Ｍｐａｒａ２を用いた濃度調整後のＭ色の濃度＜Ｍｐａｒａ３を用いた濃度調整後のＭ色の濃度の関係を満たし、Ｃｐａｒａ１を用いた濃度調整後のＣ色の濃度＜Ｃｐａｒａ２を用いた濃度調整後のＣ色の濃度＜Ｃｐａｒａ３を用いた濃度調整後のＣ色の濃度の関係も満たす。
【０１１９】
従って、濃度調整後の二画面目キャリブレーション画像７０ｂにおいて、二画面目重畳部７２ｂにおける先端部と後端部を除いた同一の副走査方向Ｙにおける座標のＭ色の濃度及びＣ色の濃度は、第一の二画面目Ｍ色重畳部７２Ｍａｂ＜第二の二画面目Ｍ色重畳部７２Ｍｂｂ＜第三の二画面目Ｍ色重畳部７２Ｍｃｂの関係を満たし、第一の二画面目Ｃ色重畳部７２Ｃａｂ＜第二の二画面目Ｃ色重畳部７２Ｃｂｂ＜第三の二画面目Ｃ色重畳部７２Ｃｃｂの関係もそれぞれ満たす。
【０１２０】
図２５は実施の形態１に係る熱転写プリント装置の二画面目キャリブレーション画像に対する濃度調整パラメーターＹｐａｒａ１、Ｙｐａｒａ２、Ｙｐａｒａ３に関するデータを示す表である。図２６は実施の形態１に係る熱転写プリント装置のステップＳ１１１の処理が終了した直後における二画面目キャリブレーション画像のデータのうち各々の画素のＹ色の階調値を示す表である。ここで濃度調整パラメーターの具体的なデータと、濃度調整後の二画面目キャリブレーション画像７０ｂのデータ内の各々の画素の階調値について例示する。
【０１２１】
二画面目キャリブレーション画像７０ｂに対する濃度調整パラメーターＹｐａｒａ１、Ｙｐａｒａ２、Ｙｐａｒａ３も、一画面目キャリブレーション画像７０ａに対する濃度調整パラメーターと同様に、副走査方向Ｙにおけるライン番号＃Ｎから＃Ｎ＋ＴＰ３まで、各ライン番号に応じて濃度調整係数が予め定められている。また、副走査方向Ｙにおけるライン番号＃Ｎは濃度調整処理を行う範囲の最も後端に位置するライン番号であり、実施の形態１では＃ＴＰＳｓに相当する。さらに、実施の形態１において重畳部７２の長さはＴＰ３であるため、＃Ｎ＋ＴＰ３は＃ＴＰＳｅに相当する。
【０１２２】
二画面目キャリブレーション画像７０ｂに対する濃度調整パラメーターＹｐａｒａ１、Ｙｐａｒａ２、Ｙｐａｒａ３の副走査方向Ｙにおけるライン番号＃Ｎにおける濃度調整係数は０と予め定められ、副走査方向Ｙにおけるライン番号＃Ｎ＋ＴＰ３における濃度調整係数は１と予め定められている。また、濃度調整係数は、副走査方向Ｙにおける後端側から先端側に向かって段階的に徐々に高くなるように予め定められている。
【０１２３】
さらに、一画面目キャリブレーション画像７０ａに対する濃度調整パラメーターＹｐａｒａ１、Ｙｐａｒａ２、Ｙｐａｒａ３の副走査方向Ｙにおけるライン番号＃Ｎ＋１から＃Ｎ＋ＴＰ３−１までの濃度係数は、同一の副走査方向Ｙにおけるライン番号では、濃度調整パラメーターＹｐａｒａ１の濃度係数＜濃度調整パラメーターＹｐａｒａ２の濃度係数＜濃度調整パラメーターＹｐａｒａ３の濃度係数の関係を満たすように予め定められている。この関係は一画面目キャリブレーション画像７０ａに対する濃度調整パラメーターＹｐａｒａ１、Ｙｐａｒａ２、Ｙｐａｒａ３と同様のため、具体例の説明を省略する。また、濃度調整後の二画面目キャリブレーション画像７０ｂの画素の階調値の導出に関しても、濃度調整後の一画面目キャリブレーション画像７０ａの画素の階調値の導出と同様であるため説明を省略する。
【０１２４】
図１３を用い、再びキャリブレーションパターンの濃度調整処理のフローチャートの詳細について説明する。ステップＳ４０２の処理が終了すると、ステップＳ４０３に進む。ステップＳ４０３では、処理データ記憶部３３はステップＳ４０２で濃度調整処理が行われた一画面目キャリブレーション画像７０ａのデータと二画面目キャリブレーション画像７０ｂのデータを記憶する。ステップＳ４０３の処理の終了後、キャリブレーションパターンの濃度調整処理に関するフローチャートが終了する。
【０１２５】
図５を用い、再びキャリブレーション処理のフローチャートの詳細について説明する。ステップＳ１１１の処理の終了後、ステップＳ１１２へ進む。ステップＳ１１２では、データ処理部２３は処理データ記憶部３３に記憶されているステップＳ１０３からステップＳ１１１までの各ステップにおいて濃度調整処理が行われた一画面目キャリブレーション画像７０ａのデータ及び二画面目キャリブレーション画像７０ｂのデータをサーマルヘッド１０にて熱転写するための印画データにそれぞれ変換する。
【０１２６】
ステップＳ１１２において、一画面目キャリブレーション画像７０ａのデータより変換された印画データを一画面目印画データと称する。また、二画面目キャリブレーション画像７０ｂのデータより変換された印画データを二画面目印画データと称する。なお、一画面目印画データ及び二画面目印画データは、Ｙ色に関するデータであるＹデータと、Ｍ色に関するデータであるＭデータと、Ｃ色に関するデータであるＣデータをそれぞれ含んでいる。
【０１２７】
ステップＳ１１２の処理の終了後、ステップＳ１１３へ進む。ステップＳ１１３では、印画制御部２６は記録用紙１４の任意の位置を副走査方向Ｙにおける原点と決定する。
【０１２８】
ステップＳ１１３の処理の終了後、ステップＳ１１４へ進む。ステップＳ１１４では、ステップＳ１１２で変換された一画面目印画データに基づいて印画制御部２６が印画部５０を制御して一画面目キャリブレーション画像７０ａの印画処理を行う。なお、印画処理の詳細は後述する。
【０１２９】
ステップＳ１１４の処理の終了後、ステップＳ１１５へ進む。ステップＳ１１５では、ステップＳ１１２で変換された二画面目印画データに基づいて印画制御部２６が印画部５０を制御して二画面目キャリブレーション画像７０ｂの印画処理を行う。
【０１３０】
図２７は実施の形態１に係る熱転写プリント装置の印画処理の詳細なフローチャートである。ここでステップＳ１１４並びにステップＳ１１５で処理される印画処理の詳細について説明する。なお、図２７のフローチャートの開始時の前提として、図５のフローチャートにおいてステップＳ１１４並びにステップＳ１１５のいずれかのステップの処理を開始したとする。
【０１３１】
ステップＳ４００では、印画制御部２６が用紙搬送駆動部５１を制御し記録用紙１４の位置決めを行う。記録用紙１４の位置決めでは、印画開始位置がサーマルヘッド１０とプラテンローラー１１の間に位置するよう記録用紙１４を副走査方向Ｙに沿って移動させる。また、印画開始位置は各ステップで異なっている。例えばステップＳ１１４における印画開始位置は一画面目キャリブレーションパターン７１ａの後端部の副走査方向Ｙの座標ＴＰｓである。また、ステップＳ１１５における印画開始位置は二画面目キャリブレーションパターン７１ｂの後端部の副走査方向Ｙの座標ＴＰＳｓである。
【０１３２】
ステップＳ４００の処理の終了後、ステップＳ４０１へ進む。ステップＳ４０１では印画制御部２６がインクシート搬送駆動部５２を制御して、インクシート１３のＹ色印画面６０Ｙの位置決めを行う。印画面６０の位置決めとは、インク使用位置がサーマルヘッド１０とプラテンローラー１１の間に位置するようインクシート１３を副走査方向Ｙに沿って移動させることである。また、インク使用位置は各ステップで異なっている。例えばステップＳ１１４におけるインク使用位置は第一のＹ色印画面６０Ｙａの後端Ｙｙａである。また、ステップＳ１１５におけるインク使用位置は第二のＹ色印画面６０Ｙｂの後端Ｙｙｂである。
【０１３３】
ステップＳ４０１の処理の終了後、ステップＳ４０２へ進む。ステップＳ４０２では印画制御部２６が用紙搬送駆動部５１とインクシート搬送駆動部５２とサーマルヘッド駆動部５３を制御して、Ｎ画面目印画データのＹデータに基づいて記録用紙１４に印画を行う。ここでＮは各ステップで異なる自然数であり、ステップＳ１１４では一、ステップＳ１１５では二である。
【０１３４】
ステップＳ４０２の処理の終了後、ステップＳ４０３へ進む。ステップＳ４０３では、ステップＳ４００と同様に、印画制御部２６が用紙搬送駆動部５１を制御し記録用紙１４の位置決めを行う。ステップＳ４０４の処理はステップＳ４００と同様であるため省略する。
【０１３５】
ステップＳ４０３の処理の終了後、ステップＳ４０４へ進む。ステップＳ４０４では、印画制御部２６がインクシート搬送駆動部５２を制御して、インクシート１３のＭ色印画面６０Ｍの位置決めを行う。また、インク使用位置は各ステップで異なっている。例えばステップＳ１１４におけるインク使用位置は第一のＭ色印画面６０Ｍａの後端Ｙｍａである。また、ステップＳ１１５におけるインク使用位置は第二のＭ色印画面６０Ｍｂの後端Ｙｍｂである。
【０１３６】
ステップＳ４０４の処理の終了後、ステップＳ４０５へ進む。ステップＳ４０５では印画制御部２６が用紙搬送駆動部５１とインクシート搬送駆動部５２とサーマルヘッド駆動部５３を制御して、Ｎ画面目印画データのＭデータに基づいて記録用紙１４に印画を行う。ステップＳ４０２と同様にＮは各ステップで異なる自然数であり、ステップＳ１１４では一、ステップＳ１１５では二である。
【０１３７】
ステップＳ４０５の処理の終了後、ステップＳ４０６へ進む。ステップＳ４０６では、ステップＳ４００と同様に、印画制御部２６が用紙搬送駆動部５１を制御し記録用紙１４の位置決めを行う。ステップＳ４０６の処理はステップＳ４００と同様であるため省略する。
【０１３８】
ステップＳ４０６の処理の終了後、ステップＳ４０７へ進む。ステップＳ４０７では、印画制御部２６がインクシート搬送駆動部５２を制御して、インクシート１３のＣ色印画面６０Ｃの位置決めを行う。また、インク使用位置は各ステップで異なっている。例えばステップＳ１１４におけるインク使用位置は第一のＣ色印画面６０Ｃａの後端Ｙｃａである。また、ステップＳ１１５におけるインク使用位置は第二のＣ色印画面６０Ｃｂの後端Ｙｃｂである。
【０１３９】
ステップＳ４０７の処理の終了後、ステップＳ４０８へ進む。ステップＳ４０８では印画制御部２６が用紙搬送駆動部５１とインクシート搬送駆動部５２とサーマルヘッド駆動部５３を制御して、Ｎ画面目印画データのＣデータに基づいて記録用紙１４に印画を行う。ステップＳ４０２と同様にＮは各ステップで異なる自然数であり、ステップＳ１１４では一、ステップＳ１１５では二である。
【０１４０】
ステップＳ４０８の処理の終了後、ステップＳ４０９へ進む。ステップＳ４０９では、ステップＳ４００と同様に、印画制御部２６が用紙搬送駆動部５１を制御し記録用紙１４の位置決めを行う。ステップＳ４０９の処理はステップＳ５００と同様であるため省略する。
【０１４１】
ステップＳ４０９の処理の終了後、ステップＳ４１０へ進む。ステップＳ４１０では、印画制御部２６がインクシート搬送駆動部５２を制御して、インクシート１３の保護材料面６１の位置決めを行う。保護材料面６１の位置決めとは、保護材料使用位置がサーマルヘッド１０とプラテンローラー１１の間に位置するようインクシート１３を副走査方向Ｙに沿って移動させることである。また、保護材料使用位置は各ステップで異なっている。例えばステップＳ１１４における保護材料使用位置は第一の保護材料面６１ａの後端Ｙｏｐａである。また、ステップＳ１１５における保護材料使用位置は第二の保護材料面６１ｂの後端Ｙｏｐｂである。
【０１４２】
ステップＳ４１０の処理の終了後、ステップＳ４１１へ進む。ステップＳ４１１では印画制御部２６が用紙搬送駆動部５１とインクシート搬送駆動部５２とサーマルヘッド駆動部５３を制御して、記録用紙１４に保護層の熱転写を行う。ステップＳ４０２と同様にＮは各ステップで異なる自然数であり、ステップＳ１１４では一、ステップＳ１１５では二である。
【０１４３】
ステップＳ４１１の処理の終了後、印画処理に関するフローチャートが終了する。
【０１４４】
図５を用い、再びキャリブレーション処理のフローチャートの詳細について説明する。ステップＳ１１５の処理の終了後、ステップＳ１１６へ進む。ステップＳ１１６では印画制御部２６は用紙搬送駆動部５１と記録用紙切断機構駆動部５４を制御して、印画を行った記録用紙１４を排紙する。具体的には印画制御部２６は、用紙搬送駆動部５１を制御して記録用紙１４の切断位置がカッター１２の間に位置するよう記録用紙１４を副走査方向Ｙに移動させ、記録用紙切断機構駆動部５４を制御して記録用紙１４を切断する。記録用紙１４の切断位置はキャリブレーション画像７０における副走査方向Ｙの先端部である。
【０１４５】
図２８は実施の形態１に係る熱転写プリント装置の印画キャリブレーション画像を示す図である。ここで印画キャリブレーション画像について説明する。印画キャリブレーション画像７４とは、ステップＳ１１６の処理により排紙された記録用紙に印画された画像である。
【０１４６】
印画キャリブレーション画像７４は、ステップＳ１１４で印画された濃度調整処理が行われた一画面目キャリブレーション画像７０ａと、ステップＳ１１５で印画された濃度調整処理が行われた二画面目キャリブレーション画像７０ｂと、が組み合わさった画像である。
【０１４７】
印画キャリブレーション画像７４には、３つのＹ色印画キャリブレーションパターン７５Ｙと、３つのＭ色印画キャリブレーションパターン７５Ｍと、３つのＣ色印画キャリブレーションパターン７５Ｃとが形成されている。それぞれの印画キャリブレーションパターン７５を、第一のＹ色印画キャリブレーションパターン７５Ｙａ、第二のＹ色印画キャリブレーションパターン７５Ｙｂと、第三のＹ色印画キャリブレーションパターン７５Ｙｃ、第一のＭ色印画キャリブレーションパターン７５Ｍａ、第二のＭ色印画キャリブレーションパターン７５Ｍｂと、第三のＭ色印画キャリブレーションパターン７５Ｍｃ、第一のＣ色印画キャリブレーションパターン７５Ｃａ、第二のＣ色印画キャリブレーションパターン７５Ｃｂと、第三のＣ色印画キャリブレーションパターン７５Ｃｃと、称する。
【０１４８】
印画キャリブレーションパターン７５は、一画面目キャリブレーションパターン７１ａと、二画面目キャリブレーションパターン７１ｂと、が組み合わさって構成されている。また、印画キャリブレーションパターン７５には、一画面目キャリブレーションパターン７１ａの一画面目重畳部７２ａと、二画面目キャリブレーションパターン７１ｂの二画面目重畳部７２ｂとが重畳して印画された印画重畳部７６を含む。第一のＹ色印画キャリブレーションパターン７５Ｙａの印画重畳部７６を第一のＹ色印画重畳部７６Ｙａと称する。第二のＹ色印画キャリブレーションパターン７５Ｙｂの印画重畳部７６を第二のＹ色印画重畳部７６Ｙｂと称する。第三のＹ色印画キャリブレーションパターン７５Ｙｃの印画重畳部７６を第三のＹ色印画重畳部７６Ｙｃと称する。第一のＭ色印画キャリブレーションパターン７５Ｍａの印画重畳部７６を第一のＭ色印画重畳部７６Ｍａと称する。第二のＭ色印画キャリブレーションパターン７５Ｍｂの印画重畳部７６を第二のＭ色印画重畳部７６Ｍｂと称する。第三のＭ色印画キャリブレーションパターン７５Ｍｃの印画重畳部７６を第三のＭ色印画重畳部７６Ｍｃと称する。第一のＣ色印画キャリブレーションパターン７５Ｃａの印画重畳部７６を第一のＣ色印画重畳部７６Ｃａと称する。第二のＣ色印画キャリブレーションパターン７５Ｃｂの印画重畳部７６を第二のＣ色印画重畳部７６Ｃｂと称する。第三のＣ色印画キャリブレーションパターン７５Ｃｃの印画重畳部７６を第三のＣ色印画重畳部７６Ｃｃと称する。
【０１４９】
また、印画重畳部７６の濃度は、第一のＹ色印画重畳部７６Ｙａの濃度＜第二のＹ色印画重畳部７６Ｙｂ＜第三のＹ色印画重畳部７６Ｙｃ、の関係を満たす。その理由としては、濃度調整処理によって、第一の一画面目Ｙ色重畳部７２Ｙａａ＜第二の一画面目Ｙ色重畳部７２Ｙｂａ＜第三の一画面目Ｙ色重畳部７２Ｙａｃ、の関係を満たし、二画面目Ｙ色重畳部７２Ｙａｂ＜第二の二画面目Ｙ色重畳部７２Ｙｂｂ＜第三の二画面目Ｙ色重畳部７２Ｙｂｃ、の関係も満たしているためである。
【０１５０】
同様の理由で、第一のＭ色印画重畳部７６Ｍａの濃度＜第二のＭ色印画重畳部７６Ｍｂ＜第三のＭ色印画重畳部７６Ｍｃ、の関係を満たす。さらに、同様の理由で、第一のＣ色印画重畳部７６Ｃａの濃度＜第二のＣ色印画重畳部７６Ｃｂ＜第三のＣ色印画重畳部７６Ｃｃ、の関係を満たす。
【０１５１】
また、印画キャリブレーションパターン７５は、非重畳部７３である一画面目非重畳部７３ａと二画面目非重畳部７３ｂとを含んでいる。従って、ユーザーは印画キャリブレーションパターン７５の印画重畳部７６の濃度と非重畳部７３の濃度を比較することができる。
【０１５２】
また、印画キャリブレーション画像７４は、記録用紙１４に印画されているため、使用するインクシート並びに記録用紙の特性ばらつき又は印画を行う場所の環境の差などの外乱要素を含んでいる。
【０１５３】
ステップＳ２１６の処理の終了後、ステップＳ１１７へ進む。ステップＳ１１７では熱転写プリンタ１００は予め定められた時間だけ待機する。
【０１５４】
ステップＳ１１７で熱転写プリンタが待機している間に、ユーザーは印画キャリブレーションパターン７５の印画重畳部７６の濃度と非重畳部７３の濃度を比較し、Ｙ色とＭ色とＣ色のそれぞれの印画キャリブレーションパターン７５より重畳部分が目立ち難い印画キャリブレーションパターン７５を選ぶ。ユーザーは、選んだ印画キャリブレーションパターン７５を外部情報処理装置２００から入力する。ユーザーの入力後、外部情報処理装置２００は選ばれた印画キャリブレーションパターン７５に関する情報を含む信号をキャリブレーションパターン選択受信部４３に送信する。
【０１５５】
ステップＳ１１７で予め定められた時間経過すると、ステップＳ１１８へ進む。ステップＳ１１８では、判断部２５は全ての色に対して印画キャリブレーションパターン７５が選択されたかを判定する。例えば、判断部２５はキャリブレーションパターン選択受信部４３で受信した信号にＹ色とＭ色とＣ色の全ての色に対して選ばれた印画キャリブレーションパターン７５に関する情報が含まれていれば、全ての色に対して印画キャリブレーションパターン７５が選択された（ステップＳ１１８、Ｙｅｓ）と判断する。また、判断部２５はキャリブレーションパターン選択受信部４３に受信した信号にＹ色とＭ色とＣ色のいずれかの色に対して選ばれた印画キャリブレーションパターン７５に関する情報が含まれていなければ、全ての色に対して印画キャリブレーションパターン７５が選択されていない（ステップＳ１１８、Ｎｏ）と判断する。
【０１５６】
ステップＳ１１８で判断部２５が全ての色に対して印画キャリブレーションパターン７５が選択されていない（ステップＳ１１８、Ｎｏ）と判断した場合は、ステップＳ１１７に戻り熱転写プリンタ１００は予め定められた時間だけ待機する。
【０１５７】
ステップＳ１１８で判断部２５が全ての色に対して印画キャリブレーションパターン７５が選択された（ステップＳ１１８、Ｙｅｓ）と判断した場合は、ステップＳ２１９へ進む。ステップＳ１１９では、濃度調整パラメーター記憶部３２がキャリブレーションパターン選択受信部４３で受信した選ばれた印画キャリブレーションパターン７５に関する情報を含む信号に基づいてＹ色とＭ色とＣ色のそれぞれの濃度調整パラメーターを記憶する。具体的には、濃度調整パラメーター記憶部３２は選ばれた印画キャリブレーションパターン７５を構成する一画面目キャリブレーションパターン７１ａと二画面目キャリブレーションパターン７１ｂの濃度調整処理で用いられた濃度調整パラメーターをＹ色とＭ色とＣ色とでそれぞれ記憶する。
【０１５８】
例えば、ユーザーはＹ色については第三のＹ色印画キャリブレーションパターン７５Ｙｃを選択し、Ｍ色については第三のＭ色印画キャリブレーションパターン７５Ｍｃを選択し、Ｃ色については第三のＣ色印画キャリブレーションパターン７５Ｃｃを選択したとする。第三のＹ色印画キャリブレーションパターン７５Ｙｃは、濃度調整パラメーターＹｐａｒａ３を用いて濃度調整処理が行われた第三の一画面目Ｙ色キャリブレーション７１Ｙｃａと第三の二画面目Ｙ色キャリブレーション７１Ｙｃｂが組み合わさって構成されたものであるため、濃度調整パラメーター記憶部３２は濃度調整パラメーターＹｐａｒａ３を記憶する。同様の理由で、濃度調整パラメーター記憶部３２は、濃度調整パラメーターＭｐａｒａ３と、濃度調整パラメーターＣｐａｒａ３を記憶する。
【０１５９】
ステップＳ１１９の処理の終了後、熱転写プリンタ１００はキャリブレーション処理を終了する。
【０１６０】
図２９は実施の形態１に係る熱転写プリント装置のパノラマ画像印画処理のフローチャートである。次に実施の形態１に係る熱転写プリンタ１００のパノラマ画像印画処理の詳細について説明する。なお、図２９のフローチャートの開始時の前提として、外部情報処理装置２００よりパノラマ画像印画処理を行う指示を含んだ信号を処理選択受信部４１に受信したとする。
【０１６１】
ステップＳ５００では、入力画像受信部４２が外部情報処理装置２００より入力画像８０のデータを含む信号を受信する。入力画像８０は熱転写プリンタ１００のパノラマ画像印画処理で印画を行う画像である。
【０１６２】
図３０は実施の形態１に係る熱転写プリント装置の入力画像を示す図である。Ｔは入力画像８０の副走査方向Ｙにおける幅である。Ｔは印画面６０の副走査方向Ｙにおける幅ＴＡよりも長い。また、Ｔｓは入力画像８０の副走査方向Ｙにおける後端部の座標を示す。さらに、Ｔｅは入力画像８０の副走査方向Ｙにおける先端部の座標を示す。
【０１６３】
図２９を用い、再びパノラマ画像印画処理のフローチャートの詳細について説明する。ステップＳ５００の処理の終了後、ステップＳ５０１へ進む。ステップＳ５０１では分割画像データ取得部２１がステップＳ５００で受信した入力画像８０のデータを基に分割画像データである一画面目入力画像８０ａのデータと二画面目入力画像８０ｂのデータを取得する。
【０１６４】
図３１は実施の形態１に係る熱転写プリント装置の一画面目入力画像を示す図である。一画面目入力画像８０ａは、入力画像８０のうち副走査方向Ｙにおける座標Ｔｓから座標ＴＳｅまでの画像である。また、一画面目入力画像は、副走査方向Ｙにおける座標ＴＳｓよりも先端側に、二画面目入力画像８０ｂと重畳する部分である一画面目重畳部８１ａを含んでいる。Ｔ１は一画面目入力画像８０ａの副走査方向Ｙにおける幅である。Ｔ１は印画面６０の副走査方向Ｙにおける幅ＴＡよりも短い。また、一画面目重畳部８１ａの副走査方向Ｙにおける幅は、キャリブレーション処理と同じく、ＴＰ３である。
【０１６５】
図３２は実施の形態１に係る熱転写プリント装置の二画面目入力画像を示す図である。二画面目入力画像８０ｂは、入力画像８０のうち副走査方向Ｙにおける座標ＴＳｓから座標Ｔｅまでの画像である。二画面目入力画像８０ｂは、副走査方向Ｙにおける座標ＴＳｅよりも後端側に、一画面目入力画像８０ａと重畳する部分である二画面目重畳部８１ｂを含んでいる。Ｔ２は二画面目入力画像８０ｂの副走査方向Ｙにおける幅である。Ｔ２は印画面６０の副走査方向Ｙにおける幅ＴＡよりも短い。また、二画面目重畳部８１ｂの副走査方向Ｙにおける幅は、キャリブレーション処理と同じく、ＴＰ３である。
【０１６６】
ステップＳ５０１の処理の終了後、ステップＳ５０２へ進む。ステップＳ５０２では入力画像データ記憶部３４が一画面目入力画像８０ａのデータと、二画面目入力画像８０ｂのデータを記憶する。
【０１６７】
ステップＳ５０２の処理の終了後、ステップＳ５０３へ進む。ステップＳ５０３では濃度調整処理部２２は濃度調整パラメーター記憶部３２に記憶されたＹ色とＭ色とＣ色のそれぞれの濃度調整パラメーターを読み込む。ここで、濃度調整パラメーター記憶部３２に記憶されたＹ色とＭ色とＣ色のそれぞれの濃度調整パラメーターは、キャリブレーション処理のステップＳ１１９で記憶された濃度調整パラメーターである。
【０１６８】
例えば、キャリブレーション処理のステップＳ１１９において濃度調整パラメーター記憶部３２が、Ｙ色の濃度調整パラメーターとしてＹｐａｒａ３を記憶し、Ｍ色の濃度調整パラメーターとしてＭｐａｒａ３を記憶し、Ｃ色の濃度調整パラメーターとしてＣｐａｒａ３を記憶していると仮定する。この場合、ステップＳ５０３で濃度調整処理部２２が読み込む濃度調整パラメーターは、Ｙ色ではＹｐａｒａ３であり、Ｍ色ではＭｐａｒａ３であり、Ｃ色ではＣｐａｒａ３である。
【０１６９】
ステップＳ５０３の処理の終了後、ステップＳ５０４へ進む。ステップＳ５０４では濃度調整処理部２２はステップＳ５０３で読み込んだ濃度調整パラメーターを用いて一画面目入力画像８０ａの一画面目重畳部８１ａ及び二画面目入力画像８０ｂの二画面目重畳部８１ｂのＹ色とＭ色とＣ色のそれぞれの濃度調整処理を行う。
【０１７０】
一画面目入力画像８０ａのデータの画素において一画面目重畳部８１ａ以外の箇所、つまり副走査方向ＹにおいてＴｓからＴＳｓまでの範囲の画素の階調値は、入力画像８０の同様の範囲の画素の階調値と同一である。対して、一画面目重畳部８１ａ、つまり副走査方向ＹにおいてＴＳｓからＴＳｅまでの範囲のデータの画素は、濃度調整処理が行われているため、入力画像８０の同様の範囲の画素の階調値よりも低い値となっており濃度が薄くなっている。また、一画面目重畳部８１ａの画素は、副走査方向Ｙにおける後端側から先端側に向かって階調値が段階的に徐々に低くなっている。
【０１７１】
二画面目入力画像８０ｂのデータの画素において二画面目重畳部８１ｂ以外の箇所、つまり副走査方向ＹにおいてＴＳｅからＴｅまでの範囲の画素の階調値は、入力画像８０の同様の範囲の画素の階調値と同一である。対して、二画面目重畳部８１ｂ、つまり副走査方向ＹにおいてＴＳｓからＴＳｅまでの範囲の画素の濃度は、濃度調整処理が行われているため、入力画像８０の同様の範囲の画素の階調値よりも低い値となっており濃度が薄くなっている。また、二画面目重畳部８１ｂの画素は、副走査方向Ｙにおける後端側から先端側に向かって階調値が段階的に徐々に高くなっている。
【０１７２】
ステップＳ５０４の処理の終了後、ステップＳ５０５へ進む。ステップＳ５０５では処理データ記憶部３３がステップＳ５０４で濃度調整処理がそれぞれ行われた一画面目入力画像８０ａのデータと二画面目入力画像８０ｂのデータを記憶する。
【０１７３】
ステップＳ５０５の処理の終了後、ステップＳ５０６へ進む。ステップＳ５０６では、データ処理部２３が処理データ記憶部３３に記憶されている濃度調整処理が行われた一画面目入力画像８０ａのデータと濃度調整処理が行われた二画面目入力画像８０ｂのデータをサーマルヘッド１０で熱転写するための印画データにそれぞれ変換する。ステップＳ５０６において、一画面目入力画像８０ａのデータより変換された印画データを一画面目印画データと称する。また、二画面目入力画像８０ｂのデータより変換された印画データを二画面目印画データと称する。なお、一画面目印画データ及び二画面目印画データは、Ｙ色に関するデータであるＹデータと、Ｍ色に関するデータであるＭデータと、Ｃ色に関するデータであるＣデータをそれぞれ含んでいる。
【０１７４】
ステップＳ５０６の処理の終了後、ステップＳ５０７へ進む。ステップＳ５０７では、印画制御部２６は記録用紙１４の任意の位置を副走査方向Ｙにおける原点と決定する。
【０１７５】
ステップＳ５０７の処理の終了後、ステップＳ５０８へ進む。ステップＳ５０８では、ステップＳ５０６で変換された一画面目印画データに基づいて印画制御部２６が印画部５０を制御して一画面目入力画像８０ａの印画処理を行う。印画処理は前述の図２７のフローチャートに沿って行われる。ステップＳ５０８の印画処理において、各々のステップにおける位置は以下の通りである。ステップＳ４００とステップＳ４０３とステップＳ４０６とステップＳ４０９の印画開始位置はＴｓである。ステップＳ４０１のインク使用位置は第一のＹ色印画面６０Ｙａの後端Ｙｙａである。ステップＳ４０４のインク使用位置は第一のＭ色印画面６０Ｍａの後端Ｙｍａである。ステップＳ４０７のインク使用位置は第一のＣ色印画面６０Ｃａの後端Ｙｃａである。ステップＳ４１０の保護材料使用位置は第一の保護材料面６１ａの後端Ｙｏｐａである。
【０１７６】
ステップＳ５０８の処理の終了後、ステップＳ５０９へ進む。ステップＳ５０９では、ステップＳ５０６で変換された二画面目印画データに基づいて印画制御部２６が印画部５０を制御して二画面目入力画像８０ｂの印画処理を行う。印画処理は前述の図２７のフローチャートに沿って行われる。ステップＳ５０９の印画処理において、各々のステップにおける位置は以下の通りである。ステップＳ４００とステップＳ４０３とステップＳ４０６とステップＳ４０９の印画開始位置はＴＳｓである。ステップＳ４０１のインク使用位置は第二のＹ色印画面６０Ｙｂの後端Ｙｙｂである。ステップＳ４０４のインク使用位置は第二のＭ色印画面６０Ｍｂの後端Ｙｍｂである。ステップＳ４０７のインク使用位置は第二のＣ色印画面６０Ｃｂの後端Ｙｃｂである。ステップＳ４１０の保護材料使用位置は第二の保護材料面６１ｂの後端Ｙｏｐｂである。
【０１７７】
ステップＳ５０９の処理の終了後、ステップＳ５１０へ進む。ステップＳ５１０ではステップＳ１１６と同様に印画制御部２６は用紙搬送駆動部５１と記録用紙切断機構駆動部５４を制御して、印画を行った記録用紙１４を排紙する。記録用紙１４の切断位置は入力画像８０の後端Ｔｅである。
【０１７８】
ステップＳ５１０の処理の終了後、熱転写プリンタ１００はパノラマ印画処理を終了する。
【０１７９】
図３３は実施の形態１に係る熱転写プリント装置のパノラマ印画画像を示す図である。ここでパノラマ印画画像８２について説明する。パノラマ印画画像８２とは、ステップ３１０の処理により排紙された記録用紙に印画された画像である。
【０１８０】
パノラマ印画画像８２は、ステップＳ５０８で印画された濃度調整処理が行われた一画面目入力画像８０ａと、ステップＳ５０９で印画された濃度調整処理が行われた二画面目入力画像８０ｂとが組み合わさった画像である。
【０１８１】
また、一画面目重畳部８１ａと二画面目重畳部８１ｂは重畳している。一画面目重畳部７２ａと二画面目重畳部８１ｂはキャリブレーション処理で設定された濃度調整パラメーターを用いて濃度調整処理が行われている。このため、パノラマ印画画像８２の一画面目重畳部８１ａと二画面目重畳部８１ｂが重畳している部分は、重畳していない部分と比較しても目立ち難くなっており、パノラマ印画画像８２は不連続感の無い自然な１枚の画像となっている。
【０１８２】
以上より、実施の形態１に係る熱転写プリント装置は、第一の画像の色に関するデータと第二の画像の色に関するデータを取得し、取得した第一の画像の色に関するデータの一部と取得した第二の画像の色に関するデータの一部を予め決定された濃度調整パラメーターを用いて調整し、インクシートに配置された複数の印画面を使用して調整が行われた第一の画像の一部と調整が行われた第二の画像の一部とが重畳するよう第一の画像と第二の画像とを印画するパノラマ画像印画処理を行う熱転写プリント装置であり、複数の一画面目キャリブレーションパターンの色の濃度に関するデータを含む一画面目キャリブレーション画像のデータと、複数の二画面目キャリブレーションパターンの色の濃度に関するデータを含む二画面目キャリブレーション画像のデータとを取得する分割画像データ取得部と、複数の一画面目キャリブレーションパターン及び複数の二画面目キャリブレーションパターンとそれぞれ対応関係にある複数の濃度調整パラメーターを記憶するキャリブレーション用濃度調整パラメーター記憶部と、複数の一画面目キャリブレーションパターンの色の濃度に関するデータのうち印画時に二画面目キャリブレーションパターンと重複する一画面目重畳部の色の濃度に関するデータと、複数の二画面目キャリブレーションパターンの色の濃度に関するデータのうち印画時に一画面目キャリブレーションパターンと重複する二画面目重畳部の色の濃度に関するデータと、を対応関係にある濃度調整パラメーターを用いてそれぞれ調整する濃度調整処理部と、濃度調整処理部で調整された色の濃度に関するデータを基に、一画面目キャリブレーションパターンと二画面目キャリブレーションパターンにより構成され一画面目重畳部と二画面目重畳部が重畳した印画重畳部を含む印画キャリブレーションパターンを複数形成するよう第一画面目キャリブレーション画像と第二画面目キャリブレーション画像を記録用紙に印画する印画部と、を備え、記録用紙に印画された印画重畳部の色の濃度は、それぞれの印画キャリブレーションパターンで異なる構成である。特に印画重畳部の色の濃度はそれぞれの印画キャリブレーションパターンで異なる構成になっているため、外乱要素を含めて重畳部が目立ち難いキャリブレーションパターンを選ぶことができ、外乱要素があっても重畳部が目立ち難い熱転写プリント装置を提供できる効果を奏する。
【０１８３】
さらに、付加的構成として前述の実施の形態１に係る熱転写プリント装置の構成に、印画した複数の印画キャリブレーションパターンより選択された印画キャリブレーションパターンに関するデータを含む受信するキャリブレーションパターン選択受信部を備え、選択された印画キャリブレーションパターンを構成する一画面目キャリブレーションパターン及び二画面目キャリブレーションパターンと対応関係にある濃度調整パラメーターをパノラマ画像印画処理で用いる構成を追加しても良い。この構成によって、ユーザー自身によって外乱要素があっても重畳部が目立ち難い濃度パラメーターを選ぶことができる効果を奏する。
【０１８４】
さらに、付加的構成として前述の実施の形態１に係る熱転写プリント装置の構成に、一画面目キャリブレーションパターンの色の濃度に関するデータと、二画面目キャリブレーションパターンの色の濃度に関するデータは、それぞれの主走査方向Ｘ及び副走査方向Ｙにライン番号が割り当てられた画素の階調値であり、複数の濃度調整パラメーターは、それぞれ画素の副走査方向のライン番号に対応して予め定められた濃度調整係数であり、濃度調整処理部は、濃度調整係数に基づき、濃度調整係数と対応する画素の階調値を調整する構成を追加しても良い。
【０１８５】
また、実施の形態１に係る熱転写プリント装置のキャリブレーション方法は、取得された複数の二画面目キャリブレーションパターンの色の濃度に関するデータのうち印画時に一画面目キャリブレーションパターンと重複する二画面目重畳部の色の濃度に関するデータとを、複数の一画面目キャリブレーションパターン及び複数の二画面目キャリブレーションパターンとそれぞれ対応関係にある濃度調整パラメーターを用いてそれぞれ調整するステップと、調整された色の濃度に関するデータを基に、一画面目キャリブレーションパターンと二画面目キャリブレーションパターンにより構成され一画面目重畳部と二画面目重畳部が重畳した印画重畳部を含む印画キャリブレーションパターンを複数形成し、印画重畳部の色の濃度はそれぞれの印画キャリブレーションパターンで異なるよう第一画面目キャリブレーション画像と第二画面目キャリブレーション画像を記録用紙に印画するステップと、記録用紙に印画した複数の印画キャリブレーションパターンより選択された印画キャリブレーションパターンに関するデータを含む受信するステップと、選択された印画キャリブレーションパターンを構成する一画面目キャリブレーションパターン及び二画面目キャリブレーションパターンと対応関係にある濃度調整パラメーターを濃度調整パラメーター記憶部に記憶するステップと、を備えた構成である。これらの構成によって、外乱要素を含めて重畳部が目立ち難い濃度調整パラメーターを選ぶことができ、外乱要素があっても重畳部が目立ち難いようキャリブレーションを行うことができる。
【０１８６】
また、実施の形態１に係る熱転写プリント装置の印画方法は、第一の画像の色に関するデータと第二の画像の色に関するデータを取得するステップと、取得した第一の画像の色に関するデータの一部と取得した第二の画像の色に関するデータの一部を前述の実施の形態１に係る熱転写プリント装置のキャリブレーション方法で濃度調整パラメーター記憶部に記憶された濃度調整パラメーターを用いて調整するステップと、インクシートに配置された複数の印画面を使用して調整が行われた第一の画像の一部と調整が行われた第二の画像の一部とが重畳するよう第一の画像と第二の画像とを印画するステップと、を備える構成である。この構成によって、外乱要素があっても重畳部が目立ち難いパノラマ画像を得ることができる。
【０１８７】
また、実施の形態１における熱転写プリント装置１０００では、各色のキャリブレーションパターンが３つあり、各色の濃度調整パラメーターが３種類あるが、これに限らず、キャリブレーションパターンと濃度調整パラメーターはそれぞれ複数あればよい。
【０１８８】
また、実施の形態１における熱転写プリント装置１０００では、各色のキャリブレーションパターンが主走査方向Ｘに並んでいるが、これに限らず、副走査方向Ｙに並んでもよい。
【０１８９】
図３４は実施の形態１の変形例１に係る熱転写プリント装置の印画キャリブレーション画像を示す図である。本発明は、例えば実施の形態１の変形例１であっても構わない。実施の形態１の変形例１の印画キャリブレーション画像７４は、第一のＹ色印画キャリブレーションパターン７５Ｙａと、第二のＹ色印画キャリブレーションパターン７５Ｙｂと、第二のＹ色印画キャリブレーションパターン７５Ｙｂと、第三のＹ色印画キャリブレーションパターン７５Ｙｃと、第四のＹ色印画キャリブレーションパターン７５Ｙｄと、第五のＹ色印画キャリブレーションパターン７５Ｙｅと、第六のＹ色印画キャリブレーションパターン７５Ｙｆと、を含んでいる。また、実施の形態１の変形例１の印画キャリブレーション画像７４は、第一から第六のＭ色印画キャリブレーションパターン７５Ｍａ〜ｆと、第一から第六のＣ色印画キャリブレーションパターン７５Ｃａ〜ｆと、を含んでいる。
【０１９０】
また、第一から第三のＹ色印画キャリブレーションパターン７５Ｙａ〜ｃは主走査方向Ｘに並んでいるが、第四から第六のＹ色印画キャリブレーションパターンＹｄ〜ｆは第一から第三のＹ色印画キャリブレーションパターン７５Ｙａ〜ｃに対して副走査方向Ｙに並んでいる。
【０１９１】
実施の形態１の変形例１のキャリブレーション用濃度調整パラメーター記憶部３６には、６種類のＹ色の濃度調整パラメーターＹｐａｒａ１、Ｙｐａｒａ２、Ｙｐａｒａ３、Ｙｐａｒａ４、Ｙｐａｒａ５、Ｙｐａｒａ６が記憶されている。各Ｙ色の濃度調整パラメーターの濃度係数は、同一の副走査方向Ｙにおけるライン番号では、濃度調整パラメーターＹｐａｒａ１の濃度係数＜濃度調整パラメーターＹｐａｒａ２の濃度係数＜濃度調整パラメーターＹｐａｒａ３＜濃度調整パラメーターＹｐａｒａ４の濃度係数＜濃度調整パラメーターＹｐａｒａ５の濃度係数＜濃度調整パラメーターＹｐａｒａ６の濃度係数の関係を満たすように予め定められている。同様に、実施の形態１の変形例１のキャリブレーション用濃度調整パラメーター記憶部３６には、６種類のＭ色の濃度調整パラメーターＭｐａｒａ１〜Ｍｐａｒａ６と、６種類のＣ色の濃度調整パラメーターＣｐａｒａ１〜Ｃｐａｒａ６が記憶されており、各色の濃度調整パラメーターの濃度係数は、Ｍｐａｒａ１＜Ｍｐａｒａ２＜Ｍｐａｒａ３＜Ｍｐａｒａ４＜Ｍｐａｒａ５＜Ｍｐａｒａ６の関係と、Ｃｐａｒａ１＜Ｃｐａｒａ２＜Ｃｐａｒａ３＜Ｃｐａｒａ４＜Ｃｐａｒａ５＜Ｃｐａｒａ６の関係とを満たすように予め定められている。
【０１９２】
また、濃度調整パラメーターＹｐａｒａ１は第一のＹ色キャリブレーションパターンと対応関係にあり、第一のＹ色キャリブレーションパターンの重畳部は濃度調整パラメーターＹｐａｒａ１を用いて濃度調整処理が行われる。さらに、濃度調整パラメーターＹｐａｒａ２、Ｙｐａｒａ３、Ｙｐａｒａ４、Ｙｐａｒａ５、Ｙｐａｒａ６は、それぞれ第二のＹ色キャリブレーションパターン、第三のＹ色キャリブレーションパターン、第四のＹ色キャリブレーションパターン、第五のＹ色キャリブレーションパターン、第六のＹ色キャリブレーションパターンと対応関係にあり、各Ｙ色キャリブレーションパターンの重畳部は対応関係にある濃度調整パラメーターを用いて濃度調整処理がされる。同様に、濃度調整パラメーターＭｐａｒａ１〜Ｍｐａｒａ６と濃度調整パラメーターＣｐａｒａ１〜Ｃｐａｒａ６は、第一から第六のＭ色印画キャリブレーションパターン７５Ｍａ〜ｆと第一から第六のＣ色印画キャリブレーションパターン７５Ｃａ〜ｆと対応関係にあり、各キャリブレーションパターンの重畳部は対応関係にある濃度調整パラメーターを用いて濃度調整処理がされる。
【０１９３】
従って、実施の形態１の変形例１の印画キャリブレーション画像７４の印画重畳部７６の濃度は、第一のＹ色印画重畳部７６Ｙａの濃度＜第二のＹ色印画重畳部７６Ｙｂ＜第三のＹ色印画重畳部７６Ｙｃ＜第四のＹ色印画重畳部７６Ｙｄの濃度＜第五のＹ色印画重畳部７６Ｙｅ＜第六のＹ色印画重畳部７６Ｙｆ、の関係を満たす。同様に、実施の形態１の変形例１の印画キャリブレーション画像７４の印画重畳部７６の濃度は、第一のＭ色印画重畳部７６Ｍａの濃度＜第二のＭ色印画重畳部７６Ｍｂ＜第三のＭ色印画重畳部７６Ｍｃ＜第四のＭ色印画重畳部７６Ｍｄの濃度＜第五のＭ色印画重畳部７６Ｍｅ＜第六のＭ色印画重畳部７６Ｍｆ、の関係と、第一のＣ色印画重畳部７６Ｃａの濃度＜第二のＣ色印画重畳部７６Ｃｂ＜第三のＣ色印画重畳部７６Ｃｃ＜第四のＣ色印画重畳部７６Ｃｄの濃度＜第五のＣ色印画重畳部７６Ｃｅ＜第六のＣ色印画重畳部７６Ｃｆ、の関係を満たす。
【０１９４】
また、実施の形態１における熱転写プリント装置１０００では、熱転写プリンタ１００は外部情報処理装置２００から画像のデータの情報の入出力が行われているがこれに限らない。例えば熱転写プリンタにスキャナーなどの既存の画像データ取り込み部を設け、画像データ取り込み部より画像のデータを取得するなど、熱転写プリンタが外部情報処理装置を介さずに画像のデータの情報を取得しても構わない。
【０１９５】
また、実施の形態１における熱転写プリント装置１０００では、熱転写プリンタ１００は外部情報処理装置２００よりユーザーより選ばれた印画キャリブレーションパターン７５に関する情報を取得しているがこれに限らない。例えば熱転写プリンタにタッチパネルなどの既存の操作入力部を設け、ユーザーは操作入力部より直接選んだ印画キャリブレーションパターンを入力するなど、熱転写プリンタが外部情報処理装置を介さずにユーザーより選ばれた印画キャリブレーションパターンに関する情報を取得しても構わない。なお、この場合は操作入力部が本発明のキャリブレーションパターン選択受信部に相当する。
【０１９６】
また、実施の形態１における熱転写プリント装置１０００では、分割画像データ取得部２１と、濃度調整処理部２２と、データ処理部２３と、キャリブレーション画像データ取得部２４と、判断部２５と、濃度調整パラメーター記憶部３２と、入力画像データ記憶部３４と、キャリブレーション画像データ記憶部３５と、キャリブレーション用濃度調整パラメーター記憶部３６と、キャリブレーションパターン対応記憶部３７と、の全てを備えているが、これに限らない。例えば、外部情報処理装置２００が分割画像データ取得部２１と、濃度調整処理部２２と、データ処理部２３と、キャリブレーション画像データ取得部２４と、判断部２５と、濃度調整パラメーター記憶部３２と、入力画像データ記憶部３４と、キャリブレーション画像データ記憶部３５と、キャリブレーション用濃度調整パラメーター記憶部３６と、キャリブレーションパターン対応記憶部３７と、の全て若しくは一部を備えても構わない。
【０１９７】
また、実施の形態１における熱転写プリント装置１０００では、キャリブレーション画像７０は複数のＹ色キャリブレーションパターン７１Ｙと複数のＭ色キャリブレーションパターン７１Ｍと複数のＣ色キャリブレーションパターン７１Ｃとを含み、印画キャリブレーション画像７４は複数のＹ色印画キャリブレーションパターン７５Ｙと複数のＭ色印画キャリブレーションパターン７５Ｍと複数のＣ色印画キャリブレーションパターン７５Ｃとを含んでいるが、これに限らない。例えば、キャリブレーション画像７０は複数のＹ色、Ｍ色又はＣ色のいずれか１つのキャリブレーションパターン７１のみを含み、ユーザーは印画キャリブレーション画像７４に印画された複数のＹ色、Ｍ色又はＣ色のいずれか１つの印画キャリブレーションパターン７５より選ぶようにしても構わない。
【０１９８】
また、実施の形態１における熱転写プリント装置１０００では、濃度調整パラメーターの濃度調整係数は、一画面目キャリブレーション画像７０ａに対しては副走査方向Ｙにおける後端側から先端側に向かって段階的に徐々に低くなるように予め定められ、二画面目キャリブレーション画像７０ｂに対しては副走査方向Ｙにおける後端側から先端側に向かって段階的に徐々に高くなるように予め定められているが、これに限らない。例えば、濃度調整パラメーターの濃度調整係数は副走査方向におけるライン番号＃Ｎ＋１から＃Ｎ＋ＴＰ３−１までに亘って所定の１未満の係数で一定でも良い。
【０１９９】
また、実施の形態１における熱転写プリント装置１０００では、キャリブレーション画像データ記憶部４４に記憶されているキャリブレーションパターン７１の各色の階調値を取得してキャリブレーションパターン７１を含むキャリブレーション画像７０を取得しているが、これに限らない。例えば、キャリブレーション画像データ記憶部４４は、キャリブレーション画像７０のデータを記憶しており、キャリブレーション画像データ取得部２４はキャリブレーション画像７０のデータを修得しても構わない。さらに、キャリブレーション画像データ記憶部４４は、一画面目キャリブレーション画像７０ａのデータと二画面目キャリブレーション画像７０ｂのデータを記憶しており、分割画像データ取得部２１がキャリブレーション画像データ記憶部４４より一画面目キャリブレーション画像７０ａのデータと二画面目キャリブレーション画像７０ｂのデータを取得しても構わない。この場合、熱転写プリント装置１０００はキャリブレーション画像データ取得部２４を有していなくても構わない。
【０２００】
また、実施の形態１における熱転写プリント装置１０００では、印画キャリブレーションパターン７５には非重畳部７３を含んでいるが、これに限らない。例えば、一画面目キャリブレーションパターン７１ａと二画面目キャリブレーションパターン７１ｂの全範囲が重畳部７２であり、印画キャリブレーションパターン７５全体が印画重畳部７６であっても構わない。
【０２０１】
ただし、印画キャリブレーションパターン７５全体が印画重畳部７６である場合は印画重畳部７６にスジの有無があることをユーザーは判断できるが、非重畳部と重畳部とのむらに関してユーザーは判断できない。このため、付加的構成として前述の実施の形態１に係る熱転写プリント装置に、印画キャリブレーションパターンには一画面目キャリブレーションパターンと二画面目キャリブレーションパターンが重畳していない非重畳部を含む構成を付加しても良い。この付加された構成によって、外乱要素によるむらを抑制することができる濃度調整パラメーターを選択でき、より重畳部分が目立ち難い熱転写プリンタ及び熱転写プリンタの印画方法を得ることができる。
一画面目キャリブレーションパターン７１ａの各色の階調値は中間階調値より大きくても、中間階調値より小さくても構わない。
【０２０２】
また、実施の形態１における熱転写プリント装置１０００では、キャリブレーションパターン７１の各色の階調値は中間階調値である１２８と予め定められているが、これに限らない。キャリブレーションパターン７１の各色の階調値は中間階調値より大きくても、中間階調値より小さくても構わない。
【０２０３】
ただし、外乱要素によるスジ又はむらは、中間階調値より小さい階調値の場合に発生しやすい。このため、付加的構成として前述の実施の形態１に係る熱転写プリント装置の構成、熱転写プリントの構成及び熱転写方法の構成に、キャリブレーションパターンの階調値は階調値の範囲の中央の値より小さい値である構成を付加しても良い。この付加された構成によって、キャリブレーションパターンの階調値が階調値の範囲の中央の値より大きい値である場合に比べて、さらに外乱要素によるスジ又はむらを抑制することができる濃度調整パラメーターを選択でき、より重畳部分が目立ち難い熱転写プリンタ及び熱転写プリンタの印画方法を得ることができる。
【０２０４】
また、パノラマ画像印画処理を行う前に一度もキャリブレーション処理を行っていない場合に備え、濃度調整パラメーター記憶部３２には初期値として予め定められたＹ色とＭ色とＣ色のそれぞれの濃度調整パラメーターを記憶していても良い。
【０２０５】
実施の形態２
図３５は実施の形態２に係る熱転写プリント装置のステップＳ１００の処理が終了した直後のキャリブレーション画像を示す図である。図３６は実施の形態２に係る熱転写プリント装置のステップＳ１００の処理が終了した直後におけるキャリブレーション画像のデータのうち各々の画素のＹ色の階調値を示す表である。次に、実施の形態２の熱転写プリント装置１０００について説明する。
【０２０６】
実施の形態２の熱転写プリント装置１０００は、実施の形態１の熱転写プリント装置１０００と比較して、キャリブレーション処理のステップＳ１００で取得するキャリブレーション画像７０のキャリブレーションパターン７１が異なる。なお、それ以外の構成については、実施の形態２の熱転写プリント装置１０００と実施の形態１の熱転写プリント装置１０００は同様であるため、説明を省略する。
【０２０７】
実施の形態１のキャリブレーションパターン７１はそれぞれのキャリブレーションパターン７１内における濃度は一定であったが、実施の形態２のキャリブレーションパターン７１ではそれぞれのキャリブレーションパターン７１内における濃度が主走査方向Ｘにおける座標ごとに異なる。
【０２０８】
より具体的には、実施の形態２において、第一のＹ色キャリブレーションパターン７１ＹａのＹ色の濃度と、第二のＹ色キャリブレーションパターン７１Ｙｂの濃度と、第三のＹ色キャリブレーションパターン７１ＹｃのＹ色の濃度は、それぞれのキャリブレーションパターン７１の主走査方向Ｘにおいて一方の端である上端部から他方の端である下端部に向かって段階的に徐々に高くなっている。また、同様に、第一から第三のＭ色キャリブレーションパターン７１Ｍａ、Ｍｂ、ＭｃのＭ色の濃度と、第一から第三のＣ色キャリブレーションパターン７１Ｃａ、Ｃｂ、ＣｃのＣ色の濃度も、それぞれのキャリブレーションパターン７１の主走査方向Ｘにおいて上端部から下端部に向かって段階的に徐々に高くなっている。
【０２０９】
実施の形態２のキャリブレーション画像７０のデータに関しても、それぞれのキャリブレーションパターン７１内における画素の階調値が主走査方向Ｘにおいてライン番号ごとに異なる。より具体的には、それぞれのキャリブレーションパターン７１内における画素の階調値は主走査方向Ｘにおいて一方の端である上端部のライン番号から他方の端である下端部のライン番号に向かって段階的に徐々に高くなっている。例えば、図３６に示すように、第一のＹ色キャリブレーションパターン７１Ｙａの主走査方向Ｘにおいて上端部のライン番号である＃Ｌｙａの画素のＹ色の階調値は１６である。また、第一のＹ色キャリブレーションパターン７１Ｙａの主走査方向Ｘにおいて下端部のライン番号である＃Ｌｙａ＋ＬＰの画素のＹ色の階調値は１２８である。
【０２１０】
実施の形態２の熱転写プリント装置では、付加的構成として前述の実施の形態１に係る熱転写プリント装置の構成に、印画部は、印画キャリブレーションパターンの主走査方向Ｘの色の濃度が主走査方向Ｘの一方の端部から他方の端部に向かって段階的に高くなるよう印画する構成を備えている。この構成によって、一回のキャリブレーション処理によって複数の階調値に対する重畳部のスジ又はむらを確認することができ、外乱要素があってもより重畳部が目立ち難い熱転写プリント装置を提供できる効果を奏する。
【０２１１】
さらに、付加的構成として、実施の形態２の熱転写プリント装置の構成に分割画像データ取得部が取得する一画面目キャリブレーションパターンの色の濃度に関するデータと、二画面目キャリブレーションパターンの色の濃度に関するデータは、主走査方向Ｘの一方の端部から他方の端部に向かって段階的に濃度が高くなるよう設定されている構成を備えてもよい。
【０２１２】
また、実施の形態２で説明した付加的構成については、実施の形態１の各付加的構成とも組み合わせることができる。
【０２１３】
実施の形態３
図３７は実施の形態３に係る熱転写プリンタに装着されるインクシートの概略図である。次に、実施の形態３の熱転写プリント装置１０００について説明する。
【０２１４】
実施の形態３の熱転写プリント装置１０００は、実施の形態１の熱転写プリント装置１０００と比較してインクシート１３と、キャリブレーション処理における印画処理が異なる。なお、それ以外の構成については、実施の形態３の熱転写プリント装置１０００と実施の形態１の熱転写プリント装置１０００は同様であるため、説明を省略する。
【０２１５】
実施の形態３の熱転写プリンタ１００に装着されているインクシート１３において、印画面６０の副走査方向Ｙにおける幅ＴＡは、一画面目キャリブレーションパターン７１ａの副走査方向Ｙにおける長さＴＰ１と二画面目キャリブレーションパターン７１ｂの副走査方向Ｙにおける長さＴＰ２の和よりも長い。また、Ｙ色印画面６０Ｙの副走査方向Ｙにおける後端における座標をＹｙ１とする。同様に、Ｍ色印画面６０ＭとＣ色印画面６０Ｃと保護材料面６１のそれぞれの副走査方向Ｙにおける後端における座標をＹｍ１、Ｙｃ１、Ｙｏｐ１とする。
【０２１６】
また、Ｙ色印画面６０Ｙの副走査方向Ｙにおいて後端と先端の間に任意の座標Ｙｙ２を含んでいる。Ｙ色印画面６０Ｙの後端から座標Ｙｙ２までの幅ＴＢは一画面目キャリブレーションパターン７１ａの副走査方向Ｙにおける長さＴＰ１よりも長い。また、座標Ｙｙ２からＹ色印画面６０Ｙの後端までの幅ＴＣは二画面目キャリブレーションパターン７１ｂの副走査方向Ｙにおける長さＴＰ２よりも長い。
【０２１７】
同様に、Ｍ色印画面６０ＭとＣ色印画面６０Ｃと保護材料面６１もそれぞれの副走査方向Ｙにおいて後端と先端の間に任意の座標をＹｍ２、Ｙｃ２、Ｙｏｐ２とを含んでいる。
Ｍ色印画面６０Ｍの後端から座標Ｙｍ２までの幅、Ｃ色印画面６０Ｃの後端から座標Ｙｃ２までの幅、保護材料面６１の後端から座標Ｙｏｐ２までの幅もＴＢであり、一画面目キャリブレーションパターン７１ａの副走査方向Ｙにおける長さＴＰ１よりも長い。また、座標Ｙｍ２からＭ色印画面６０Ｍの先端までの幅、座標Ｙｃ２からＣ色印画面６０Ｃの先端までの幅、座標Ｙｏｐ２から保護材料面６１の後端までの幅もＴＣであり、二画面目キャリブレーションパターン７１ｂの副走査方向Ｙにおける長さＴＰ２よりも長い。
【０２１８】
次に実施の形態３のキャリブレーション処理における印画処理を図２７の印画処理のフローチャートを用い説明する。なお、ステップＳ４００、ステップＳ４０３、ステップＳ４０６及びステップＳ４０９の記録用紙の位置決めについては実施の形態１と同様であるため省略する。
【０２１９】
ステップＳ４０１では印画制御部２６がインクシート搬送駆動部５２を制御して、インクシート１３のＹ色印画面６０Ｙの位置決めを行う。インク使用位置は各ステップで異なっており、ステップＳ１１４におけるインク使用位置はＹ色印画面６０Ｙの後端Ｙｙ１である。また、ステップＳ１１５におけるインク使用位置は座標Ｙｙ２である。
【０２２０】
ステップＳ４０２では印画制御部２６が用紙搬送駆動部５１とインクシート搬送駆動部５２とサーマルヘッド駆動部５３を制御して、Ｎ画面目印画データのＹ色のデータに基づいて記録用紙１４に印画を行う。ここでＮは各ステップで異なる自然数であり、ステップＳ１１４では一、ステップＳ１１５では二である。つまり、印画部５０はＹ色印画面６０Ｙの一部である後端から座標Ｙｙ２までの区間を用いて一画面目キャリブレーションパターン７１ａの印画を行い、Ｙ色印画面６０Ｙの他の一部である座標Ｙｙ２から先端までの区間を用いて二画面目キャリブレーションパターン７１ｂの印画を行う。
【０２２１】
ステップＳ４０４では、印画制御部２６がインクシート搬送駆動部５２を制御して、インクシート１３のＭ色印画面６０Ｍの位置決めを行う。インク使用位置は各ステップで異なっており、ステップＳ１１４におけるインク使用位置はＭ色印画面６０Ｍの後端Ｙｍ１である。また、ステップＳ１１５におけるインク使用位置は座標Ｙｍ２である。
【０２２２】
ステップＳ４０５では印画制御部２６が用紙搬送駆動部５１とインクシート搬送駆動部５２とサーマルヘッド駆動部５３を制御して、Ｎ画面目印画データのＭ色のデータに基づいて記録用紙１４に印画を行う。ステップＳ４０２と同様にＮは各ステップで異なる自然数であり、ステップＳ１１４では一、ステップＳ１１５では二である。つまり、印画部５０はＭ色印画面６０Ｍの一部である後端から座標Ｙｍ２までの区間を用いて一画面目キャリブレーションパターン７１ａの印画を行い、Ｍ色印画面６０Ｍの他の一部である座標Ｙｍ２から先端までの区間を用いて二画面目キャリブレーションパターン７１ｂの印画を行う。
【０２２３】
ステップＳ４０７では、印画制御部２６がインクシート搬送駆動部５２を制御して、インクシート１３のＣ色印画面６０Ｃの位置決めを行う。インク使用位置は各ステップで異なっており、ステップＳ１１４におけるインク使用位置はＣ色印画面６０Ｃの後端Ｙｃ１である。また、ステップＳ１１５におけるインク使用位置は座標Ｙｃ２である。
【０２２４】
ステップＳ４０８では印画制御部２６が用紙搬送駆動部５１とインクシート搬送駆動部５２とサーマルヘッド駆動部５３を制御して、Ｎ画面目印画データのＣ色のデータに基づいて記録用紙１４に印画を行う。ステップＳ４０２と同様にＮは各ステップで異なる自然数であり、ステップＳ１１４では一、ステップＳ１１５では二である。つまり、印画部５０はＣ色印画面６０Ｃの一部である後端から座標Ｙｃ２までの区間を用いて一画面目キャリブレーションパターン７１ａの印画を行い、Ｃ色印画面６０Ｃの他の一部である座標Ｙｃ２から先端までの区間を用いて二画面目キャリブレーションパターン７１ｂの印画を行う。
【０２２５】
ステップＳ４１０では、印画制御部２６がインクシート搬送駆動部５２を制御して、インクシート１３の保護材料面６１の位置決めを行う。保護材料使用位置は各ステップで異なっており、ステップＳ１１４における保護材料使用位置は保護材料面６１の後端Ｙｏｐａである。また、ステップＳ１１５における保護材料使用位置は座標Ｙｏｐ２である。
【０２２６】
ステップＳ４１０の処理の終了後、ステップＳ４１１へ進む。ステップＳ４１１では印画制御部２６が用紙搬送駆動部５１とインクシート搬送駆動部５２とサーマルヘッド駆動部５３を制御して、記録用紙１４に保護層の熱転写を行う。ステップＳ４０２と同様にＮは各ステップで異なる自然数であり、ステップＳ１１４では一、ステップＳ１１５では二である。つまり、印画部５０は保護材料面６１の一部である後端から座標Ｙｏｐ２までの区間を用いて保護材料の塗布を行い、保護材料面６１の他の一部である座標Ｙｏｐ２から先端までの区間を用いて保護材料の塗布を行う。
【０２２７】
実施の形態２の熱転写プリント装置では、付加的構成として前述の実施の形態１に係る熱転写プリント装置の構成に、印画部は、印画面の一部で一画面目キャリブレーション画像を印画し、一画面目キャリブレーション画像を印画した印画面の他の一部で二画面目キャリブレーション画像を印画する構成を備えている。この構成によって、各色１つの印画面でキャリブレーション処理を行うことができるため、キャリブレーション処理に用いるインクシートを節約することができる。
【０２２８】
また、実施の形態３における熱転写プリント装置１０００は、キャリブレーション処理において各色の印画面６０は同じ印画面６０を２度使用しているが、これに限らず、各色の印画面６０を３以上の複数回使用しても良い。
【０２２９】
図３８は実施の形態３の変形例に係る熱転写プリンタに装着されるインクシートのＹ色印画面の概略図である。実施の形態３の熱転写プリンタ１００に装着されているインクシート１３において、印画面６０の副走査方向Ｙにおける幅ＴＡは、一画面目キャリブレーションパターン７１ａの副走査方向Ｙにおける長さＴＰ１と二画面目キャリブレーションパターン７１ｂの副走査方向Ｙにおける長さＴＰ２の和の２倍よりも長い。つまりＴＡ＞ＴＰ１＋ＴＰ１＋ＴＰ２＋ＴＰ２の関係を満たす。
【０２３０】
また、Ｙ色印画面６０Ｙの副走査方向Ｙにおいて後端と先端の間に任意の座標Ｙｙ２、Ｙｙ３、Ｙｙ４を含んでいる。Ｙ色印画面６０Ｙの後端から座標Ｙｙ２までの幅ＴＢは一画面目キャリブレーションパターン７１ａの副走査方向Ｙにおける長さＴＰ１よりも長い。また、座標Ｙｙ２から座標Ｙｙ３の幅ＴＣは二画面目キャリブレーションパターン７１ｂの副走査方向Ｙにおける長さＴＰ２よりも長い。さらに、座標Ｙｙ３から座標Ｙｙ４までの幅ＴＤはＴＰ１より長く、座標Ｙｙ４からＹ色印画面６０Ｙの先端までの幅ＴＥはＴＰ２よりも長い。
【０２３１】
実施の形態３の変形例に係るキャリブレーション画像は図３４に示した実施の形態１の変形例１のようにキャリブレーションパターンが並んでいる。ここで実施の形態３の変形例ではキャリブレーション処理において、第一から第三の一画面目キャリブレーションパターンに相当する部分を印画する印画処理を行うステップと、第一から第三の二画面目キャリブレーションパターンに相当する部分を印画する印画処理を行うステップと、第四から第六の一画面目キャリブレーションパターンに相当する部分を印画する印画処理を行うステップと、第四から第六の二画面目キャリブレーションパターンに相当する部分を印画する印画処理を行うステップと、の４回の印画処理を行うとする。
【０２３２】
第一から第三の一画面目キャリブレーションパターンに相当する部分を印画する印画処理を行うステップでは、インクシートの使用位置をＹ色印画面６０Ｙの後端Ｙｙ１とし、Ｙ色印画面６０Ｙの後端から座標Ｙｙ２までの区間を用いて印画できる。
【０２３３】
また、第一から第三の二画面目キャリブレーションパターンに相当する部分を印画する印画処理を行うステップでは、インクシートの使用位置を座標Ｙｙ２とし、Ｙ色印画面６０Ｙの座標Ｙｙ２から座標Ｙｙ３までの区間を用いて印画できる。
【０２３４】
また、第四から第六の一画面目キャリブレーションパターンに相当する部分を印画する印画処理を行うステップでは、インクシートの使用位置を座標Ｙｙ３とし、Ｙ色印画面６０Ｙの座標Ｙｙ３から座標Ｙｙ４までの区間を用いて印画できる。
【０２３５】
また、第四から第六の二画面目キャリブレーションパターンに相当する部分を印画する印画処理を行うステップでは、インクシートの使用位置を座標Ｙｙ４とし、Ｙ色印画面６０Ｙの座標Ｙｙ４からＹ色印画面６０Ｙの先端までの区間を用いて印画できる。
【符号の説明】
【０２３６】
１  供給側ボビン、２  巻取り側ボビン、３  供給側モーター、４  巻取り側モーター、５  紙ロールボビン、６  紙ロールモーター、７  ピンチローラー、８  グリップローラー、９  搬送モーター、１０  サーマルヘッド、１１  プラテンローラー、１２  カッター、１３  インクシート、１４  記録用紙、１５  プロセッサー、１６  メモリー、１７  ハードウェアインターフェース、２０  制御部、２１  分割画像データ取得部、２２  濃度調整処理部、２３  データ処理部、２４  キャリブレーション画像データ取得部、２５  判断部、２６  印画制御部、３０  記憶部、３１  プログラム記憶部、３２  濃度調整パラメーター記憶部、３３  処理データ記憶部、３４  入力画像データ記憶部、３５  キャリブレーション画像データ記憶部、３６  キャリブレーション用濃度調整パラメーター記憶部、３７  キャリブレーションパターン対応記憶部、４０  入出力部、４１  処理選択受信部、４２  入力画像受信部、４３  キャリブレーションパターン選択受信部、５０  印画部、５１  用紙搬送駆動部、５２  インクシート搬送駆動部、５３  サーマルヘッド駆動部、５４  記録用紙切断機構駆動部、６０  印画面、６０Ｙ  Ｙ色印画面、６０Ｙａ  第一のＹ色印画面、６０Ｙｂ  第二のＹ色印画面、６０Ｍ  Ｍ色印画面、６０Ｍａ  第一のＭ色印画面、６０Ｍｂ  第二のＭ色印画面、６０Ｃ  Ｃ色印画面、６０Ｃａ  第一のＣ色印画面、６０Ｃｂ  第二のＣ色印画面、６１  保護材料面、６１ａ  第一の保護材料面、６１ｂ  第二の保護材料面、６２  印画インクシート領域、６２ａ  第一の印画インクシート領域、６２ｂ  第二の印画インクシート領域、７０  キャリブレーション画像、７０ａ  一画面目キャリブレーション画像、７０ｂ  二画面目キャリブレーション画像、７１  キャリブレーションパターン、７１Ｙ  Ｙ色キャリブレーションパターン、７１Ｍ  Ｍ色キャリブレーションパターン、７１Ｃ  Ｃ色キャリブレーションパターン、７１ａ  一画面目キャリブレーションパターン、７１ｂ  二画面目キャリブレーションパターン、７２  重畳部、７２ａ  一画面目重畳部、７２ｂ  二画面目重畳部、７３  非重畳部、７３ａ  一画面目非重畳部、７３ｂ  二画面目非重畳部、７４  印画キャリブレーション画像、７５  印画キャリブレーションパターン、７５Ｙ  Ｙ色印画キャリブレーションパターン、７５Ｍ  Ｍ色印画キャリブレーションパターン、７５Ｃ  Ｃ色印画キャリブレーションパターン、７５Ｙａ  第一のＹ色印画キャリブレーションパターン、７５Ｙｂ  第二のＹ色印画キャリブレーションパターン、７５Ｙｃ  第三のＹ色印画キャリブレーションパターン、７５Ｍａ  第一のＭ色印画キャリブレーションパターン、７５Ｍｂ  第二のＭ色印画キャリブレーションパターン、７５Ｍｃ  第三のＭ色印画キャリブレーションパターン、７５Ｃａ  第一のＣ色印画キャリブレーションパターン、７５Ｃｂ  第二のＣ色印画キャリブレーションパターン、７５Ｃｃ  第三のＣ色印画キャリブレーションパターン、７６  印画重畳部、８０  入力画像、８０ａ  一画面目入力画像、８０ｂ  二画面目入力画像、８１  重畳部、８１ａ  一画面目重畳部、８１ｂ  二画面目重畳部、８２  パノラマ印画画像、１００  熱転写プリンタ、２００  外部情報処理装置、１０００  熱転写プリント装置
【要約】
インクシート並びに用紙の特性ばらつきなどによる外乱要素があっても重畳部が目立ち難い熱転写プリント装置を提供する。
熱転写プリント装置１０００は、複数の一画面目キャリブレーションパターン７１ａの階調値データを含む一画面目キャリブレーション画像７０ａのデータと、複数の二画面目キャリブレーションパターン７１ｂの階調値データを含む二画面目キャリブレーション画像７０ｂのデータとを取得する分割画像データ取得部２１と、複数の一画面目キャリブレーションパターン７１ａ及び複数の二画面目キャリブレーションパターン７１ｂとそれぞれ対応関係にある複数の濃度調整パラメーターを記憶するキャリブレーション用濃度調整パラメーター記憶部３６と、一画面目重畳部７２ａの色の階調値データと、二画面目重畳部７２ｂの階調値データと、を対応関係にある濃度調整パラメーターを用いてそれぞれ調整する濃度調整処理部３２と、濃度調整処理部３２で調整された色の濃度に関するデータを基に、一画面目重畳部７２ａと二画面目重畳部７２ｂが重畳した印画重畳部７６を含む印画キャリブレーションパターン７５を複数形成するよう記録用紙１４に印画する印画部５０と、を備え、記録用紙１４に印画された印画重畳部７６の色の濃度は、それぞれの印画キャリブレーションパターン７６で異なる。【図１】
0006521200.tif 000002
【図２】
0006521200.tif 000003
【図３】
0006521200.tif 000004
【図４】
0006521200.tif 000005
【図５】
0006521200.tif 000006
【図６】
0006521200.tif 000007
【図７】
0006521200.tif 000008
【図８】
0006521200.tif 000009
【図９】
0006521200.tif 000010
【図１０】
0006521200.tif 000011
【図１１】
0006521200.tif 000012
【図１２】
0006521200.tif 000013
【図１３】
0006521200.tif 000014
【図１４】
0006521200.tif 000015
【図１５】
0006521200.tif 000016
【図１６】
0006521200.tif 000017
【図１７】
0006521200.tif 000018
【図１８】
0006521200.tif 000019
【図１９】
0006521200.tif 000020
【図２０】
0006521200.tif 000021
【図２１】
0006521200.tif 000022
【図２２】
0006521200.tif 000023
【図２３】
0006521200.tif 000024
【図２４】
0006521200.tif 000025
【図２５】
0006521200.tif 000026
【図２６】
0006521200.tif 000027
【図２７】
0006521200.tif 000028
【図２８】
0006521200.tif 000029
【図２９】
0006521200.tif 000030
【図３０】
0006521200.tif 000031
【図３１】
0006521200.tif 000032
【図３２】
0006521200.tif 000033
【図３３】
0006521200.tif 000034
【図３４】
0006521200.tif 000035
【図３５】
0006521200.tif 000036
【図３６】
0006521200.tif 000037
【図３７】
0006521200.tif 000038
【図３８】
0006521200.tif 000039